(57)【特許請求の範囲】
【請求項１】
第１封印部を有する第１部材と、第２封印部を有する第２部材と、それら第１封印部および第２封印部を連結して前記第１部材および第２部材を封印する封印部材とを備え、前記封印部材を使用して前記第１部材および第２部材を再封印可能に構成された遊技機において、
前記第１部材は、前記第１部材および第２部材の封印状態において前記封印部材が固着される固着部を備え、
前記封印部材は、前記固着部に固着される被固着部と、その被固着部の内層側に位置する内層部と、それら内層部および被固着部を連結する連結部とを備え、
前記連結部が切断されて前記第１部材および第２部材の封印が解除されると、前記被固着部が前記内層部から分離された状態で、少なくとも前記内層部を有する封印部材が前記第１部材および第２部材から取り外されることを特徴とする遊技機。
【発明の詳細な説明】
【技術分野】
【０００１】
本発明は、スロットマシン等に代表される遊技機に関するものである。
【背景技術】
【０００２】
制御基板は、遊技の内容を制御する重要な部品であり、不正な改造や制御基板の交換を防止する必要があるため、封印部材により封印可能に形成された基板ボックス内に収納された状態で遊技機に装着されている。
【０００３】
基板ボックスには、制御基板の検査を複数回行えるように、封印部材により封印可能な部位が複数個所に設けられており、複数回の開封・封印が可能とされている。また、基板ボックスは、封印解除に伴って痕跡が残るため、開封の有無を確認できる。この場合、封印部材は、不正に流用される恐れがあるため、複数の封印可能な部位に対して、１個の封印部材を使い回す方法を採用することが好ましい。
【先行技術文献】
【特許文献】
【０００４】
【特許文献１】特開平１０−３１４４１４号公報
【発明の概要】
【発明が解決しようとする課題】
【０００５】
しかしながら、１個の封印部材を使い回すという上述した方法であっても、封印解除の痕跡のない基板ボックスを利用すれば、不正な改造を施した制御基板を収納して封印する不正行為の行われるおそれがあるという問題点があった。
【０００６】
本発明は、上記例示した問題点等を解決するためになされたものであり、封印構造を偽装する不正行為を抑制することができる遊技機を提供することを目的としている。
【課題を解決するための手段】
【０００７】
この目的を達成するために、請求項１記載の遊技機は、第１封印部を有する第１部材と、第２封印部を有する第２部材と、それら第１封印部および第２封印部を連結して前記第１部材および第２部材を封印する封印部材とを備え、前記封印部材を使用して前記第１部材および第２部材を再封印可能に構成されるものであり、前記第１部材は、前記第１部材および第２部材の封印状態において前記封印部材が固着される固着部を備え、前記封印部材は、前記固着部に固着される被固着部と、その被固着部の内層側に位置する内層部と、それら内層部および被固着部を連結する連結部とを備え、前記連結部が切断されて前記第１部材および第２部材の封印が解除されると、前記被固着部が前記内層部から分離された状態で、少なくとも前記内層部を有する封印部材が前記第１部材および第２部材から取り外される。
【発明の効果】
【００１０】
請求項１記載の遊技機によれば、封印部材により第１封印部および第２封印部が連結され第１部材および第２部材が封印されると共に、その封印の解除により取り外された封印部材を使用して、第１部材および第２部材が再封印される。
【００１１】
このように、封印部材を使い回す場合には、封印部材を取り外し易い構成とする必要がある。しかし、封印部材を取り外し易い構成にすると、その封印部材が他の遊技機（第１部材および第２部材）の封印に使用され易くなり、封印構造を偽装する不正行為を招く。
【００１２】
これに対し、本発明によれば、第１部材および第２部材の封印の解除に伴って、封印部材からその封印部材の一部分が分離されるので、封印を解除した後の封印部材の形状を、封印する前の形状と異ならせることができる。よって、取り外した封印部材を他の遊技機の封印に使用した場合には、その封印部材が既に封印に使用されたものであるか否かを判別することができるので、封印構造を偽装する不正行為を抑制することができるという効果がある。また、第１部材および第２部材の封印が解除されると、封印部材からその封印部材の一部が分離されるので、封印部材の形状を封印前の形状に戻すことを困難とすることができるという効果がある。
【図面の簡単な説明】
【００１６】
【図１】本発明の一実施の形態におけるパチンコ機の正面図である。
【図２】スロットマシンの前面扉を開いた状態の斜視図である。
【図３】筐体の正面図である。
【図４】基板ユニットの分解斜視図である。
【図５】基板ボックスの分解斜視図である。
【図６】取付ベースの分解斜視図である。
【図７】取付ベースが揺動した状態を示した斜視図である。
【図８】（ａ）は分解された状態における結合部材の斜視図であり、（ｂ）は結合された状態における結合部材の斜視図である。
【図９】ボックス蓋の部分拡大正面図である。
【図１０】図９のＸ−Ｘ線におけるボックス蓋の部分拡大断面図である。
【図１１】（ａ）は図９のＸＩａ−ＸＩａ線におけるボックス蓋の部分拡大断面図であり、（ｂ）は図９のＸＩｂ−ＸＩｂ線におけるボックス蓋の部分拡大断面図である。
【図１２】揺動ベースの部分拡大正面図である。
【図１３】（ａ）は第１凹部及び取付側結合部が結合部材により結合される前の状態における基板ユニットの部分断面図であり、（ｂ）は第１凹部及び取付側結合部が筒部材のみにより結合された状態における基板ユニットの部分断面図であり、（ｃ）は第１凹部及び取付側結合部が結合部材により封印された状態における基板ユニットの部分断面図である。
【図１４】（ａ）は基板ユニットの部分拡大正面図であり、（ｂ）は取付側結合部の上壁の部分拡大背面図である。
【図１５】基板ユニットの部分拡大断面図である。
【図１６】（ａ）は第２凹部及び取付側結合部が第１凹部及び結合部材により結合される前の状態における基板ユニットの部分断面図であり、（ｂ）は第２凹部及び取付側結合部が第１凹部及び筒部材のみにより結合された状態における基板ユニットの部分断面図であり、（ｃ）は第２凹部及び取付側結合部が第１凹部及び結合部材により封印された状態における基板ユニットの部分断面図である。
【図１７】基板ボックスが第１凹部、第２凹部及び結合部材により封印された状態における基板ユニットの部分断面図である。
【図１８】スロットマシンの電気的構成を示すブロック図である。
【図１９】主制御装置のＭＰＵにより実行される通常処理を示したフローチャートである。
【図２０】第２実施の形態におけるボックス蓋の部分拡大正面図である。
【図２１】図２０のＸＸＩ−ＸＸＩ線におけるボックス蓋の部分拡大断面図である。
【図２２】（ａ）は図２０のＸＸＩＩａ−ＸＸＩＩａ線におけるボックス蓋の部分拡大断面図であり、（ｂ）は図２０のＸＸＩＩｂ−ＸＸＩＩｂ線におけるボックス蓋の部分拡大断面図である。
【図２３】（ａ）は第１凹部及び取付側結合部が結合部材により結合される前の状態における基板ユニットの部分断面図であり、（ｂ）は第１凹部及び取付側結合部が筒部材のみにより結合された状態における基板ユニットの部分断面図であり、（ｃ）は第１凹部及び取付側結合部が結合部材により封印された状態における基板ユニットの部分断面図である。
【図２４】基板ユニットの部分拡大断面図である。
【図２５】（ａ）は第２凹部及び取付側結合部が第１凹部及び結合部材により結合される前の状態における基板ユニットの部分断面図であり、（ｂ）は第２凹部及び取付側結合部が第１凹部及び筒部材のみにより結合された状態における基板ユニットの部分断面図であり、（ｃ）は第２凹部及び取付側結合部が第１凹部及び結合部材により封印された状態における基板ユニットの部分断面図である。
【図２６】基板ボックスが第１凹部、第２凹部及び結合部材により封印された状態における基板ユニットの部分断面図である。
【図２７】第３実施の形態におけるボックス蓋の部分拡大正面図である。
【図２８】図２７のＸＸＶＩＩＩ−ＸＸＶＩＩＩ線におけるボックス蓋の部分拡大断面図である。
【図２９】（ａ）は図２７のＸＸＩＸａ−ＸＸＩＸａ線におけるボックス蓋の部分拡大断面図であり、（ｂ）は図２７のＸＸＩＸｂ−ＸＸＩＸｂ線におけるボックス蓋の部分拡大断面図である。
【図３０】（ａ）は結合部材の上面図であり、（ｂ）は図３０の矢印ＸＸＸｂ方向から視た結合部材の側面図である。
【図３１】（ａ）は図３０のＸＸＸＩａ−ＸＸＸＩａ線における結合部材の断面図であり、（ｂ）は図３０のＸＸＸＩｂ−ＸＸＸｉｂ線における結合部材の断面図である。
【図３２】図３０のＸＸＸＩＩ−ＸＸＸＩＩ線における結合部材の断面図である。
【図３３】第１凹部及び取付側結合部が結合部材により封印された状態における基板ユニットの部分断面図である。
【図３４】（ａ）は基板ユニットの部分拡大正面図であり、（ｂ）は取付側結合部の上壁の部分拡大背面図である。
【図３５】（ａ）及び（ｂ）は回収された結合部材の上面図である。
【図３６】図３５の矢印ＸＸＸＶＩ視における結合部材の側面図である。
【図３７】第２凹部及び取付側結合部が結合部材により封印された状態における基板ユニットの部分断面図である。
【図３８】基板ボックスが結合部材により封印された状態における基板ユニットの部分断面図である。
【図３９】第４実施の形態におけるボックス蓋の部分拡大正面図である。
【図４０】図３９のＸＸＸＸ−ＸＸＸＸ線におけるボックス蓋の部分拡大断面図である。
【図４１】揺動ベースの部分拡大正面図である。
【図４２】（ａ）は結合部材の上面図であり、（ｂ）は図４２（ａ）の矢印Ｂ方向から視た結合部材の側面図である。
【図４３】（ａ）は図４２（ａ）のＡａ−Ａａ線における結合部材の断面図であり、（ｂ）は図４２（ａ）のＡｂ−Ａｂ線における結合部材の断面図である。
【図４４】第１凹部及び取付側結合部が結合部材により封印された状態における基板ユニットの部分断面図である。
【図４５】基板ユニットの部分断面図である。
【図４６】第２凹部及び取付側結合部が結合部材により封印された状態における基板ユニットの部分断面図である。
【図４７】基板ボックスが結合部材により封印された状態における基板ユニットの部分断面図である。
【発明を実施するための形態】
【００１７】
以下、遊技機の一種である回胴式遊技機、具体的にはスロットマシンに適用した場合の一実施形態を、図面に基づいて詳細に説明する。まず、図１〜図３を参照して、スロットマシン１０の構造について説明する。
【００１８】
図１は、第１実施の形態におけるスロットマシン１０の前面扉１２を閉じた状態の斜視図であり、図２は、スロットマシン１０の前面扉１２を開いた状態の斜視図であり、図３は、筐体１１の正面図である。なお、図１〜図３において、矢印Ｘは、スロットマシン１０の左右方向を示しており、矢印Ｙは、スロットマシン１０の前後方向を示しており、矢印Ｚは、スロットマシン１０の上下方向を示している。
【００１９】
本実施形態のスロットマシン１０は、遊技者がメダル投入口４５から遊技媒体であるメダルを投入して、スタートレバー４１を操作することで複数の図柄が付された３つのリール３２Ｌ，３２Ｍ，３２Ｒが回転駆動し、その後、各リール３２Ｌ，３２Ｍ，３２Ｒに対応して設けられたストップスイッチ４２，４３，４４を遊技者が操作することで対応するリール３２Ｌ，３２Ｍ，３２Ｒが停止し、そのリール３２Ｌ，３２Ｍ，３２Ｒが停止することで表示される図柄の組み合わせが予め定めた組み合わせであった場合に、所定数のメダルを付与する特典や遊技状態に移行する特典を遊技者に付与するものである。
【００２０】
図１に示すように、スロットマシン１０は、その外殻を形成する筐体１１を備えている。筐体１１は、木製のパネルを組み合わせて、全体として前面を開放した箱状に形成されており、遊技ホールへの設置の際にいわゆる島設備に対し釘を打ち付ける等して取り付けられる。尚、筐体１１は木製のパネルによって構成する以外に、合成樹脂製パネル又は金属製パネルによって構成してもよいし、合成樹脂材料又は金属材料によって一体の箱状に形成することによって構成してもよい。
【００２１】
筐体１１の前面側には、前面扉１２が開閉可能に取り付けられている。前面扉１２には、筐体１１の正面から見て左側部（図１矢印Ｘ左奥側の端部）に設けられる上下一対の支軸１３ａ，１３ｂ（図２参照）に対応する軸受部１４ａ，１４ｂ（図２参照）が設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができる。
【００２２】
また、前面扉１２の開閉軸の反対側（図１矢印Ｘ右手前側の端部）には、その裏面に施錠装置２０（図２参照）が設けられ、前面扉１２は、その施錠装置２０によって開放不能な施錠状態とされる。前面扉１２の右端側中段部には、施錠装置２０と一体化されたキーシリンダ２１が設けられており、キーシリンダ２１に対する所定のキー操作によって前記施錠状態が解除されるように構成されている。なお、本実施形態では、キーシリンダ２１として、不正解錠防止機能の高いオムロック（登録商標）が用いられている。
【００２３】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００２４】
遊技パネル２５の下方左側には、各リール３２Ｌ，３２Ｍ，３２Ｒ（図２参照）の回転を開始させるために操作されるスタートレバー４１が設けられている。スタートレバー４１は、遊技者が遊技（ゲーム）を開始するときに手で押し操作（押される方向は限定されない）するレバーであり、所定数のメダルが投入されている状態でスタートレバー４１が操作されると、各リール３２Ｌ，３２Ｍ，３２Ｒの回転が一斉に（但し、同時である必要はない）開始されるようになっている。
【００２５】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。
【００２６】
このとき、本スロットマシン１０では、ストップスイッチ４２〜４４が操作された場合に基点位置（本実施形態では、対応する表示窓２６Ｌ，２６Ｍ，２６Ｒそれぞれの下段位置）に到達している到達図柄をそのまま停止させる停止態様だけでなく、対応するリールを１図柄分滑らせた後に停止させる停止態様と、２図柄分滑らせた後に停止させる停止態様と、３図柄分滑らせた後に停止させる停止態様と、４図柄分滑らせた後に停止させる停止態様との５パターンが用意されている。これにより、ストップスイッチ４２〜４４が操作されたタイミングから規定時間（１９０ｍｓｅｃ）が経過するまでの間に各リール３２Ｌ，３２Ｍ，３２Ｒが所定の停止態様で停止するように設定することにより、表示窓２６Ｌ，２６Ｍ，２６Ｒから視認可能な範囲に停止する図柄配列（以下、停止出目とも言う。）があたかも遊技者の操作によって決定されたかのような印象を遊技者に抱かせることができる。
【００２７】
表示窓２６Ｌ，２６Ｍ，２６Ｒの下方右側には、メダルを投入するためのメダル投入口４５が設けられている。メダル投入口４５から投入されたメダルは、前面扉１２の背面に設けられた通路切替手段としてのセレクタ４６（図２参照）によって貯留用通路４７（図２参照）か排出用通路４８（図２参照）のいずれかへ導かれる。より詳しくは、セレクタ４６にはメダル通路切替ソレノイド４６ａ（図２参照）が設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１（図２参照）へと導かれる。一方、排出用通路４８に導かれたメダルは、前面扉１２の前面下部に設けられたメダル排出口４９からメダル受け皿５０へと導かれ、遊技者に返還される。
【００２８】
メダル投入口４５の下方には、ボタン状の返却スイッチ５５が設けられている。メダル投入口４５に投入されたメダルがセレクタ４６内に詰まった状況下で返却スイッチ５５が操作された場合、セレクタ４６が機械的に連動して動作され、当該セレクタ４６内に詰まったメダルがメダル排出口４９から返却されるようになっている。
【００２９】
スタートレバー４１の左方には、精算スイッチ５８が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５８が操作された場合、仮想メダルが現実のメダルとしてメダル排出口４９から払い出されるようになっている。
【００３０】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７が設けられている。この第２クレジット投入スイッチ５７は、仮想メダルを一度に１枚投入するためのものである。
【００３１】
遊技パネル２５の表示窓２６Ｌ，２６Ｍ，２６Ｒ下方には、クレジットされている仮想メダル数を表示するクレジット表示部６０と、ボーナス状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、遊技パネル２５を液晶表示装置で構成して代替することは当然可能である。さらに、遊技パネル２５を液晶表示装置で構成した場合には、リール３２Ｌ，３２Ｍ，３２Ｒの表示を代替することも当然可能である。
【００３２】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部６５は、遊技の進行に伴って各種表示演出を実行するためのものであり、各リール３２Ｌ，３２Ｍ，３２Ｒによる遊技を主表示部によるものと考えれるため、本実施形態では補助表示部６５と称している。補助表示部６５の背面には、上部ランプ６３やスピーカ６４、補助表示部６５を駆動させるための表示制御装置８１（図２参照）が設けられている。
【００３３】
メダル受け皿５０の上方には、機種名や遊技に関わるキャラクタなどが表示された下段プレート６６が装着されている。また、メダル受け皿５０の左方には、手前側下方に反転可能な灰皿６９が設けられている。さらに、メダル受け皿５０の奥方には、遊技者に遊技状態を報知したりする左右一対のスピーカ６４が設けられている。
【００３４】
図２に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００３５】
ここで、リールユニット３１の構成を簡単に説明する。各リール３２Ｌ，３２Ｍ，３２Ｒは、それぞれがステッピングモータ（図示せず）に連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサ（図示せず）が各リール３２Ｌ，３２Ｍ，３２Ｒに設置されている。そして、リールインデックスセンサからは、リールが１回転したことを検出した場合、その検出の都度、主制御装置１０１（図３参照）に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００３６】
各リール３２Ｌ，３２Ｍ，３２Ｒの外周面には、その長辺方向（周回方向）に、識別情報としての図柄が複数個描かれている。複数の図柄は、各リール３２Ｌ，３２Ｍ，３２Ｒ毎に、２１個の図柄が等間隔に描かれており、そのうち連続する３個の図柄が表示窓２６Ｌ，２６Ｍ，２６Ｒの上段、中段、下段の位置にそれぞれ視認可能に構成されている。このため、所定の位置にある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００３７】
また、図柄が停止した場合の有効ラインとしては、左リール３２Ｌの上段図柄、中リール３２Ｍの上段図柄、右リール３２Ｒの上段図柄を結んだ上ラインＬ１と、左リール３２Ｌの中段図柄、中リール３２Ｍの中段図柄、右リール３２Ｒの中段図柄を結んだ中ラインＬ２と、左リール３２Ｌの下段図柄、中リール３２Ｍの下段図柄、右リール３２Ｒの下段図柄を結んだ下ラインＬ３と、左リール３２Ｌの上段図柄、中リール３２Ｍの中段図柄、右リール３２Ｒの下段図柄を結んだ右下がりラインＬ４と、左リール３２Ｌの下段図柄、中リール３２Ｍの中段図柄、右リール３２Ｒの上段図柄を結んだ右上がりラインＬ５が設定されている。そして、有効化された組合せライン、すなわち有効ライン上に図柄が所定の組合せで停止した場合には、入賞成立として、メダルが所定数払い出される特典が付与されたり、遊技状態が移行される特典が付与されたりするようになっている。
【００３８】
尚、最大組合せライン数を６以上としてもよく、５未満としてもよい。また、所定条件に応じて最大組合せライン数を変更するようにしてもよい。例えば、Ｖ（逆Ｖ）字状のラインとしたり、Ｌ字状のラインなどを有効にしてもよい。
【００３９】
また、有効ライン上に図柄が並んだ場合に移行する遊技状態としては、左から「７」図柄、「７」図柄、「７」図柄と並んで停止した場合のＢＢ入賞や、有効ライン上に左から「スイカ」図柄、「スイカ」図柄、「スイカ」図柄と並んで停止した場合はスイカ入賞が成立し、有効ライン上に左から「ベル」図柄、「ベル」図柄、「ベル」図柄と並んで停止した場合はベル入賞、有効ライン上に左から「リプレイ」図柄、「リプレイ」、図柄「リプレイ」図柄と並んで停止した場合のリプレイ入賞などが例示される。
【００４０】
ホッパ装置５１は、メダルを貯留する貯留タンク５２と、メダルを遊技者に払い出す払出装置５３とにより構成されている。払出装置５３は、図示しないメダル払出用回転板を回転させることにより、排出用通路４８に設けられた開口４８ａへメダルを排出し、排出用通路４８を介してメダル受け皿５０（図１参照）へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００４１】
筐体１１の内部においてホッパ装置５１の左方には、電源ボックス７０が設けられている。電源ボックス７０は、その内部に電源装置９１（図１８参照）を収容するとともに、電源スイッチ７１などを備えている。電源スイッチ７１は、後述する主制御装置１０１を始めとする各部に電源を供給するための起動スイッチである。
【００４２】
図３に示すように、リールユニット３１の上方には、遊技を統括管理する主制御装置１０１が筐体１１に取り付けられている。詳細については後述するが、主制御装置１０１は、主たる制御を司るＭＰＵ（Ｍｉｃｒｏ  Ｐｒｏｃｅｓｓｉｎｇ  Ｕｎｉｔ）１０２、遊技プログラムを記憶したＲＯＭ（Ｒｅａｄ  Ｏｎｌｙ  Ｍｅｍｏｒｙ）１０５、遊技の進行に応じた必要なデータを一時的に記憶するＲＡＭ（Ｒａｎｄｏｍ  Ａｃｃｅｓｓ  Ｍｅｍｏｒｙ）１０６、乱数を発生するフリーランカウンタ１０７、各種機器との連絡をとるポート１０４、時間計数や同期を図る場合などに使用されるクロック回路１０３等を含む主基板２１３（図５参照）を具備しており、主基板２１３が透明樹脂材料等よりなる基板ボックス２２１に収容されて構成されている。
【００４３】
次に、図４〜図７を参照して、基板ユニット２２０について説明する。まず、図４〜図７を参照して、基板ユニット２２０を構成する基板ボックス２２１及び取付ベース２２２の構造について説明する。図４は、基板ユニット２２０の分解斜視図であり、図５は、基板ボックス２２１の分解斜視図であり、図６は、取付ベース２２２の分解斜視図であり、図７は、取付ベース２２２が揺動した状態を示した斜視図である。なお、図４〜図７において、矢印Ｘ，Ｙ，Ｚ方向は、基板ユニット２２０が筐体１１に取り付けられた状態における基板ユニット２２０の左右，前後，上下方向を示している。
【００４４】
図４に示すように、基板ユニット２２０は、主基板２１３（図５参照）が収容される基板ボックス２２１と、その基板ボックス２２１が取り付けられると共に筐体１１（図１参照）に取り付けられる取付ベース２２２とで構成されている。なお、基板ボックス２２１は、取付ベース２２２に対して矢印Ａ方向にスライド移動して取り付けられると共に反矢印Ａ方向にスライド移動して取り外され、取付ベース２２２は、後述するが、下端部（矢印Ｚ方向の下側端部）を回転軸として、基板ボックス２２１を前面扉１２（図１参照）側に揺動可能に構成されているので、筐体１１に固定された状態での基板ボックス２２１の取り外しをスムーズに行えメンテナンス作業の作業性を向上できるように構成されている。
【００４５】
図５に示すように、基板ボックス２２１（図４参照）は、主に、基板ボックス２２１の背面側を形成するボックスベース２１１（矢印Ｙ方向右奥側）と、基板ボックス２２１の前面側（矢印Ｙ方向左手前側）を形成するボックス蓋２１２と、基板ボックス２２１内に収容される主基板２１３と、その主基板２１３と外部とを電気的に接続するコネクタ２７１を覆うコネクタカバー２１４とを主に有して構成されている。
【００４６】
ボックスベース２１１は、そのボックスベース２１１の背面側を形成する背面部２２１と、その背面部２２１からボックス蓋２１２側に立設される４つの側壁部２２２〜２２５と、背面部２２１のほぼ全体に格子状に立設されるリブ２２６とを有して構成されている。側壁部２２２〜２２５は、ボックスベース２１１の上端（矢印Ｚ方向上側）が側壁部２２２であり、左端（矢印Ｘ方向左奥側）が側壁部２２３であり、右端（Ｘ方向右手前側）が側壁部２２４であり、下端（矢印Ｚ方向下側）が側壁部２２５である。なお、リブ２２６は、背面部２２１のほぼ全体に設けられているので、ボックスベース２１１の強度を保つと共にボックスベース２１１の耐捻れ特性（又は耐撓み特性）を向上できる。
【００４７】
側壁部２２２には、ボックス蓋２１２側（矢印Ｙ方向左手前側）に突出する２本の突出片２２７と、その突出片２２７より反ボックス蓋２１２側（矢印Ｙ方向右奥側）で且つボックスベース２１１の左右方向（矢印Ｘ方向）に３つ形成される矩形形状の貫通孔２２８と、その貫通孔２２８より反ボックス蓋２１２側で且つボックスベース２１１の左右方向に４つ形成される矩形形状の貫通孔２２９とが設けられている。
【００４８】
突出片２２７は、ボックスベース２１１とボックス蓋２１２とがスライド移動して基板ボックス２２１が製作される場合に、ボックス蓋２１２の凹部２５１に当接してボックス蓋２１２のスライド移動を規制する。ボックス蓋２１２の凹部２５１に突出片２２７が当接した状態においては突出片２２７と凹部２５１とによって平面状の部位が形成され、この部位には、貼付後に引き剥がされても元位置に文字が残存する封印シール（図示せず）が貼付される。
【００４９】
貫通孔２２８は、基板ボックス２２１が製作された状態で、ボックス蓋２１２の突出片２５２が貫挿される孔であり、貫通孔２２８に突出片２５２が貫挿されると、ボックスベース２１１とボックス蓋２１２との離反する方向（矢印Ｙ方向）への移動を規制できるし、左右方向に３つ設けられているのでボックスベース２１１及びボックス蓋２１２の捻れや撓みも規制できる。よって、ボックスベース２１１とボックス蓋２１２との隙間から針金や薄板状の工具などが挿入され、主基板２１３の配線パターンが変更されたり、不正な制御回路が接続されたりする不正行為の発生を抑制できる。
【００５０】
ここで、貫通孔２２８は、必ずしも３つ設ける必要はなく、１又は２以上のいずれの数にしても良いが、複数設けることが好ましい。１つの穴で形成する場合に比べて各穴の長さを短くすることができるので、各穴の撓み幅を規制することができる。また、側壁部２２２の横幅方向のほぼ全域に亘る長さの突出片２５２が設けられて貫通孔２２８に貫挿されているので、この貫挿部分がボックスベース２１１とボックス蓋２１２との結合構造から離れた位置に設けられてもボックスベース２１１とボックス蓋２１２の取り外しをより確実に規制することができる。
【００５１】
また、貫通孔２２９は、取付ベース２２２（図４参照）に基板ボックス２２１が取り付けられた場合に、取付ベース２２２の突出片３０７（図６参照）が貫挿される孔であり、貫通孔２２９に突出片３０７が貫挿されると、取付ベース２２２と基板ボックス２２１との離反する方向（矢印Ｙ方向）への移動を規制できるし、左右方向に４つ設けられているので、基板ボックス２２１及び取付ベース２２２の捻れや撓みも規制できる。よって、基板ボックス２２１を手前側に無理に取り外そうとしても、基板ボックス２２１が取付ベース２２２から取り外されることを抑制できる。
【００５２】
側壁部２２３，２２４には、ボックスベース２１１の上下方向（矢印Ｚ方向）の所定間隔毎に、略Ｌ字状のベース側係止部２３０がそれぞれ４個づつ設けられている。ベース側係止部２３０は、背面部２２１との間に通路２３０ａを形成しており、この通路２３０ａ内にボックス蓋２１２の蓋側係止部２５３が挿入されると、ボックス蓋２１２とボックスベース２１１との離反する方向への移動を規制できるし、ボックスベース２１１及びボックス蓋２１２の捻れや撓みも規制できる。つまり、各係止部２３０，２５３によっても、主基板２１３に対する不正行為の発生を抑制できる。
【００５３】
側壁部２２５には、ボックスベース２１１の左右方向の中央に、基板ボックス２２１の返送時にボックスベース２１１とボックス蓋２１２とを封印するベース側返送用封印部２３１と、そのベース側返送用封印部２３１の左右両側にそれぞれ２つずつ設けられると共にボックス蓋２１２の蓋側結合部２５５が進入する切り欠き２３２と、その切り欠き２３２の左右両側に設けられると共にボックスベース２１１とボックス蓋２１２とを螺着する螺子（図示せず）が挿入される螺子挿入部２３３と、その螺子挿入部２３３の左右両側にそれぞれ設けられると共にボックスベース２１１とボックス蓋２１２とを封印する封印部材２６０が挿入されるベース側封印部２３４とが設けられている。
【００５４】
ボックス蓋２１２は、そのボックス蓋２１２の前面側を形成する前面部２４１と、その前面部２４１からボックスベース２１１側（矢印Ｙ方向右奥側）に立設される４つの側壁部２４２〜２４５と、前面部２４１のほぼ中央に設けられ機種情報やボックス蓋２１２とボックスベース２１１の封印履歴及び基板ボックス２２１と取付ベース２２２の封印履歴などが印されたシールが貼付されるシール貼付部２４６と、前面部２４１の右側上部（矢印Ｘ方向右手前側で且つ矢印Ｚ方向上側）に穿設されると共にリセットスイッチ７２及びキーシリンダ７３が露出される露出孔２４７，２４８と、その露出孔２４７，２４８を覆うカバー２４７ａ，２４８ａと、コネクタ２７１が露出する開口２４９と、コネクタカバー２１４を固定する固定部２５０ａ，２５０ｂとを主に有して構成されている。なお、カバー２４７ａ，２４８ａを備えることで、リセットスイッチ７２およびキーシリンダ７３に対する誤操作を抑制できる。
【００５５】
側壁部２４２には、ボックス蓋２１２の左右方向のほぼ中央に形成されると共にボックスベース２１１の突出片２２７に当接する凹状の２つの凹部２５１と、その凹部２５１よりボックスベース２１１側（矢印Ｙ方向右奥側）に３つ設けられると共にボックスベース２１１の貫通孔２２８に貫挿する突出片２５２とが設けられている。
【００５６】
側壁部２４３，２４４には、ボックス蓋２１２の上下方向（矢印Ｚ方向）の所定間隔毎に、略Ｌ字状の蓋側係止部２５３がそれぞれ４つ設けられている。蓋側係止部２５３は、前面部２４１との間に通路２５３ａを形成しており、この通路２５３ａ内にボックスベース２１１のベース側係止部２３０が挿入され、上述した通り、ボックス蓋２１２とボックスベース２１１との離反する方向への移動および捻れが規制される。
【００５７】
なお、基板ボックス２２１は、ボックスベース２１１とボックス蓋２１２とを相対的にスライド移動させて合致させることで製作される。基板ボックス２２１の製作は、まず、ボックス蓋２１２に主基板２１３を取り付け、その後、蓋側係止部２５３とベース側係止部２３０とが重ならないようにボックスベース２１１とボックス蓋２１２とを合わせ、蓋側係止部２５３が通路２３０ａ内に挿入すると共にベース側係止部２３０が通路２５３ａ内に挿入するようにボックス蓋２１２（又はボックスベース２１１）を矢印Ｚ方向上側（又は矢印Ｚ方向下側）にスライド移動させる。ボックスベース２１１とボックス蓋２１２とのスライド移動は、上述した通り、突出片２２７と凹部２５１により規制される。
【００５８】
側壁部２４５には、ボックス蓋２１２の左右方向の中央に、基板ボックス２２１の返送時にボックスベース２１１とボックス蓋２１２とを封印する蓋側返送用封印部２５４と、その蓋側返送用封印部２５４の左右両側にそれぞれ２つずつ設けられると共に基板ボックス２２１と取付ベース２２２とを結合する結合部材２５９が挿入される蓋側結合部２５５と、その蓋側結合部２５５の左右両側にそれぞれ設けられると共にボックスベース２１１とボックス蓋２１２とを螺着する螺子（図示せず）が螺着される螺子溝２５６と、その螺子溝２５６の左右両側にそれぞれ設けられると共にボックスベース２１１とボックス蓋２１２とを封印する封印部材２６０が挿入される蓋側封印部２５７と、蓋側結合部２５５が配設される領域に対応して側壁部２４５から下方（矢印Ｚ方向下側）に突出した突出片２５８とが設けられている。
【００５９】
なお、後述するが、結合部材２５９は、基板ボックス２２１と取付ベース２２２とを結合すると共にボックスベース２１１とボックス蓋２１２とを再封印するものであり、封印部材２６０は、ボックスベース２１１とボックス蓋２１２を封印するものである。
【００６０】
主基板２１３には、図示しない各種電子部品の他に、スロットマシン１０の状態をリセットするリセットスイッチ７２と、スロットマシン１０の設定を変更する設定キーが挿入されるキーシリンダ７３と、外部との電気的接続を行うコネクタ２７１などが搭載されている。この主基板２１３は、螺子２７２によりボックス蓋２１２側に固着され、コネクタ２７１は、ボックス蓋２１２の開口２４９から外部に露出される。
【００６１】
リセットスイッチ７２は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ７２を押しながら電源スイッチ７１をオンすると、バックアップデータがリセット（初期化）されるようになっている。また、電源スイッチ７１（図２参照）がオンされている状態でリセットスイッチ７２を押した場合には、エラー状態がリセットされる。
【００６２】
キーシリンダ７３は、設定キーが挿入されて操作されることで、ホール管理者などがメダルの出玉調整を行うことができる。すなわち、ホール管理者等が設定キーをキーシリンダ７３へ挿入して回転操作することにより、スロットマシン１０の設定状態（各入賞態様の当選確率の設定）を「設定１」から「設定６」まで変更できるようになっている。そして、設定状態が「設定１」に設定された場合、メダル払出枚数の期待値が最も低くなるように入賞態様（役）の抽選を行い、設定状態が「設定６」に設定された場合、メダル払出枚数の期待値が最も高くなるように入賞態様の抽選を行うように構成されている。なお、リセットスイッチ７２は、エラー状態をリセットする場合の他に、スロットマシン１０の設定状態を変更する場合にも操作される。
【００６３】
コネクタカバー２１４は、開口２４９から露出したコネクタ２７１を覆うものである。コネクタカバー２１４は、ボックス蓋２１２の固定部２５０ｂに一端を差し込みつつボックス蓋２１２側に回動させて固定部２５０ａにより係止されることで、ボックス蓋２１２に固定されるように構成されている。
【００６４】
また、コネクタカバー２１４には、左右方向に貫通した貫通孔２７３が形成されており、コネクタカバー２１４がボックス蓋２１２に固定された状態では、貫通孔２７３により固定部２５０ａの突起部の下方を通る通路が形成される。よって、ボックス蓋２１２にコネクタカバー２１４が固定された状態で、貫通孔２７３にバンドなどを通して結ぶと、コネクタカバー２１４が取り外される（又は衝撃で外れてしまう）ことを抑制できる。なお、コネクタカバー２１４を取り外すためには、バンドを切断しなければならないので、その分の作業が増えることから不正にコネクタカバー２１４が取り外されることを抑制できる。
【００６５】
図６に示すように、取付ベース２２２は、筐体１１（図２参照）側に固定される固定ベース２８１と、その固定ベース２８１に揺動可能に軸着される揺動ベース２８２と、その揺動ベース２８２に固定されると共に固定ベース２８１に揺動可能に軸着される補強部材２８３とを有して構成されている。
【００６６】
固定ベース２８１は、本実施形態では、金属材料で構成されており、固定ベース２８１の背面側（矢印Ｙ方向右奥側）を形成する背面部２９１と、その背面部２９１の下端（矢印Ｚ方向下側）に立設される立壁部２９２と、固定ベース２８１の左右方向（矢印Ｘ方向）のほぼ真ん中で且つ立壁部２９２近傍に形成される凹状の凹部２９３と、背面部２９１の左右両側から揺動ベース２８２側（矢印Ｙ方向左手前側）に突出すると共に揺動ベース２８２を係止可能な係止爪２９４と、立壁部２９２の左右両端に形成されると共に軸２９５が挿入される挿入孔２９６とを有して構成されている。なお、固定ベース２８１は金属材料で構成されるものとしたが、揺動ベース２８２や基板ボックス２２１より硬化な材料であれば、樹脂材料であっても木製であっても良い。また、揺動ベース２８２や基板ボックス２２１より軟化な材料であっても、材料の厚さや形状などで一定以上の強度があればよい。例えば、基板ボックス２２１と同一材料であっても基板ボックス２２１の厚さに比べて２倍以上の厚みを有している場合などが例示される。すなわち、固定ベース２８１に補強する部材を取り付けない場合と比して、固定ベース２８１が撓まなくなっていれば補強部材に相当する。
【００６７】
揺動ベース２８２は、その揺動ベース２８２の背面側を形成する背面部３０１と、その背面部３０１の左右両側（矢印Ｘ方向両側）に反固定ベース２８１側（矢印Ｙ方向手前側）に立設される側壁部３０２，３０３と、背面部３０１の下側に反固定ベース２８１側に立設される側壁部３０４と、側壁部３０２〜３０４に囲まれた領域の開口３０５とを主に有して構成されている。開口３０５は、基板ボックス２２１がスライド移動して取り付けられる場合の出入口である。また、揺動ベースは透明な樹脂を基本に形成されており、基板ボックスの背面や基板の背面を視認することができる。
【００６８】
背面部３０１には、揺動ベース２８２の左右方向のほぼ真ん中で且つ側壁部３０４近傍に形成されると共に結合部材２５９（図５参照）が係止される４つの取付側結合部３０６と、背面部３０１の上端から更に上方（矢印Ｚ方向上側）に突出すると共にボックスベース２１１の貫通孔２２９（図５参照）に貫挿される４つの突出片３０７と、その突出片３０７の間に設けられると共に基板ボックス２２１をロックするロック部３０８とが設けられている。なお、取付側結合部材３０６は、背面部３０１の固定ベース２８１側と補強部材２８３側との両側（矢印Ｙ方向両側）に凸形状に形成されており、固定ベース２８１の凹部２９３内に収容されるように構成されている。よって、取付側結合部３０６を金属製の固定ベース２８１で覆うことで、取付側結合部３０６が不正に破壊されることを抑制できる。
【００６９】
両側壁部３０２，３０３の補強部材２８３側（矢印Ｙ方向左手前側）には、互いに向き合う内側方向に突出した押さえ片３０９が設けられている。この押さえ片３０９は、基板ボックス２２１が取付ベース２２２に取り付けられた状態で、その基板ボックス２２１が取付ベース２２２から離反する方向に移動することを規制する部材である。また、側壁部３０３には、基板ボックス２２１を螺子止めするための螺子挿入部３１０も設けられている。よって、基板ボックス２２１を前面側に無理に取り外そうとしても、螺子挿入部３１０に挿入される螺子により取り外しを抑制できるし、押さえ片３０９によっても取り外しを抑制できる。
【００７０】
側壁部３０４には、揺動ベース２８２の左右方向のほぼ中央に形成されると共にボックス蓋２１２の突出部２５８（図５参照）が貫挿される貫通孔３１１と、左右方向の両端に形成されると共に軸２９５により固定ベース２８１に対して揺動ベース２８２を軸着する軸着部３１２とが設けられている。また、側壁部３０４には、左右方向の両端に規制部３１３が設けられており、その規制部３１３が固定ベース２８１の立壁部２９２に当接することにより、揺動ベース２８２の揺動範囲が固定ベース２８１に対して鋭角となるように構成されている。
【００７１】
また、取付側結合部３０６の左右両側には、側壁部３０４から背面部３０１に亘って切り欠き３１４が形成され、その切り欠き３１４の上端、即ち、切り欠き３１４の背面部３０１の上側（矢印Ｚ方向上側）に位置する端部には、螺子溝を有する螺着部３１５が形成されている。螺着部３１５は、補強部材２８３を揺動ベース２８２に対して固定する場合に螺子（図示せず）が螺着される部分である。
【００７２】
補強部材２８３は、本実施形態では、金属材料により略Ｌ字状に形成されている。補強部材２８３は、揺動ベース２８２の背面部３０１に当接する背面板３２１と、その背面板３２１の左右方向（矢印Ｘ方向）の中央に形成されると共に揺動ベース２８２の取付側結合部３０６を囲む貫通孔３２２と、その貫通孔３２２の左右両側に形成されると共に揺動ベース２８２の螺着部３１５に対して螺子止めされる螺子止め部３２３と、揺動ベース２８２の側壁部３０４に当接する側壁板３２４と、その側壁板３２４のほぼ中央に形成されると共にボックス蓋２１２の突出部２５８（図５参照）が貫挿される貫通孔３２５と、側壁板３２４の左右両端に形成されると共に軸２９５が挿入される挿入孔３２６とを有して構成されている。なお、挿入孔３２６は、揺動ベース２８２の軸着部３１２と固定ベース２８１の挿入孔２９６との間に位置するので、樹脂材料で構成される揺動ベース２８２の補強部材としても作用する。
【００７３】
補強部材２８３は、主に、揺動ベース２８２の揺動時の補強と、取付側結合部３０６の破壊を抑制するための補強との目的で設けられている。よって、補強部材２８３は、固定ベース２８１及び揺動ベース２８２の下端側に配設する必要が生じる。そして、取付側結合部３０６は、基板ボックス２２１の挿入方向先端側に配設されているので、揺動ベース２８２の揺動時の補強と取付側結合部３０６の補強との両方の補強を、固定ベース２８１及び揺動ベース２８２の下端側で行うことができる。従って、補強部材２８３の大きさ（面積）を小さくしつつ、揺動ベース２８２の揺動時の補強と取付側結合部３０６の補強とを行うことができ、コスト低減を図ることができる。
【００７４】
また、基板ボックス２２１の挿入方向後端側は、基板ボックス２２１を挿入することから操作者による操作がし易い位置となる場合が多い。そこで、取付側結合部３０６が、基板ボックス２２１の挿入方向後端側に配設されていると、蓋側結合部２５５（図５参照）及び取付側結合部３０６も操作し易い位置になってしまうので、蓋側結合部２５５及び取付側結合部３０６が不正に破壊される可能性も高くなる。しかしながら、取付側結合部３０６は、基板ボックス２２１の挿入方向先端側に配設しているので、不正行為者により蓋側結合部２５５及び取付側結合部３０６が簡単に操作されることを抑制できる。
また、取付側結合部３０６の周辺部を抉って結合部材２５９を抜こうとした場合を考慮して取付側結合部２０６が基板ボックス２２１の挿入方向先端側に配設されている。結合部材２５９を抜くために必要な揺動ベース２８２の撓み幅は、取付側結合部３０６が基板ボックス２２１の挿入方向後端側に配設されている場合より挿入方向先端側に配設されている場合のほうが多くなるので、不正行為者は不正を行いにくくなる。また撓み量が多いほど揺動ベース２８２が破壊される可能性が高くなるので、不正行為があったことを発見し易くすることができる。また、補強部材２８３は、揺動ベース２８２の左右方向のほぼ全域に亘って設けられているので、揺動ベース２８２の捻れや撓みも抑制できる。よって、揺動ベース２８２が捻られたり撓まされて、取付側結合部３０６の結合部材２５９との結合が、取付側結合部３０６を破壊せずに解除されることを抑制できる。また、取付側結合部３０６近傍のみが破壊されて基板ボックス２２１が取り外され、その後、基板ボックス２２１が取り付けられると、前面側からは基板ボックス２２１が取り外されたか否かの確認が困難となる。しかしながら、補強部材２８３により取付側結合部３０６は囲まれているので、揺動ベース２８２を撓ませて取付側結合部３０６のみを破壊することはできない。よって、基板ボックス２２１が不正に取り外されることを抑制することができる。また、補強部材２８３は、揺動ベース２８２の左右方向のほぼ全域に亘って設けられているので、各封印部２３４，２５７（図５参照）の背面側も覆うことができる。よって、封印部材２６０（図５参照）及び各封印部２３４，２５７への背面側からの接触を抑制できるので、封印部材２６０による各封印部２３４，２５７の封印状態が不正に解除されることも抑制できる。
【００７５】
また、補強部材２８３及び取付側結合部３０６は、取付ベース２２２に基板ボックス２２１が取り付けられた状態になると、基板ボックス２２１により覆われる。よって、補強部材２８３及び取付側結合部３０６への直接的な接触を抑制できるので、補強部材２８３が不正に取り外されたり、取付側結合部３０６が不正に破壊されることを抑制できる。
【００７６】
なお、取付ベース２２２の組み付けは、まず、揺動ベース２８２に補強部材２８３を嵌め合わせた後に、揺動ベース２８２の背面側の下方から（図６の矢印Ｂで示す方向から）螺子を螺入して、揺動ベース２８２と補強部材２８３とを固定する。そして、揺動ベース２８２と補強部材２８３とが一体となった状態で、軸２９５を、固定ベース２８１の挿入孔２９６及び補強部材２８３の挿入孔３２６に通し、揺動ベース２８２の軸着部３１２に軸着して行われる。
【００７７】
図７に示すように、取付ベース２２２は、固定ベース２８１、揺動ベース２８２及び補強部材２８３が組み付けられると、固定ベース２８１に対して揺動ベース２８２が揺動する範囲が規制されている。揺動ベース２８２の揺動範囲は、矢印Ｃで示す範囲であり、固定ベース２８１に対して鋭角となる範囲である。そして、揺動ベース２８２と補強部材２８３との固定は、揺動ベース２８２の背面下方から螺子を挿入して行うので、固定ベース２８１と揺動ベース２８２との間にドライバーなどの工具を入れることができず、補強部材２８３を取り外すことを抑制することができる。よって、取付側結合部３０６を囲む補強部材２８３の取り外しを抑制できるので、取付側結合部３０６が破壊されて、不正に基板ボックス２２１が取付ベース２２２から取り外されることを抑制できる。
【００７８】
次に、図８から図１６を参照して、結合部材２５９及び各結合部２５５，３０６について説明する。図８は、結合部材２５９を拡大した斜視図であり、図８（ａ）は、結合部材２５９が分解された状態の斜視図であり、図８（ｂ）は、結合部材２５９が結合された状態の斜視図である。
【００７９】
図８（ａ）に示すように、結合部材２５９は、略筒状に形成される筒部材３３１と、その筒部材３３１に内挿される内挿部材３３２とで構成されている。なお、以下の説明では、紙面垂直方向視において左手前側を前面側と称し、右奥側を背面側と称す。
【００８０】
筒部材３３１には、前面側に位置する第１筒部３４１と、その第１筒部３４１の背面側に連接されると共に第１筒部３４１の外径より小さな外径となる第２筒部３４２と、第１筒部３４１の前面側の端部から第２筒部３４２側に亘って延設されると共に蓋側結合部２５５に設けられる第１挿入溝２６１ａ（図９参照）に挿入される筒側挿入突起３４３と、第１筒部３４１の前面側の端部から第２筒部３４２側に亘って形成されると共に内挿部材３３２の内挿側挿入突起３５４が挿入される第１切り欠き３４４と、第２筒部３４２の背面側の端部で且つ筒側挿入突起３４３及び第１切り欠き３４４の延設線上に位置する第２切り欠き３４５と、その第２切り欠き３４５に対して第２筒部３４２の外周方向に９０度ずれた位置に形成される筒側係止部３４６とが設けられている。
【００８１】
筒側係止部３４６は、第２筒部３４２の外周に形成される第３切り欠き３４７内に揺動可能に配設されており、具体的には、第３切り欠き３４７の前面側の端部に連結されると共に背面側に延設される揺動部３４８と、その揺動部３４８の背面側端部に形成されると共に取付ベース２２２の取付側結合部３０６（図１３参照）に係止される係止爪３４９と、その係止爪３４９の背面側に設けられるテーパ面３５０と、係止爪３４９の前面側に設けられる係止面３５１とで構成されている。
【００８２】
内挿部材３３２には、前面側に位置する第１内挿部３５２と、その第２内挿部３５３の背面側に連結されると共に第１内挿部３５２の外径より小さな外径に形成される第２内挿部３５３と、第１内挿部３５２の前面側端部から第２内挿部３５３側に亘って延設されると共に筒部材３３１の第１切り欠き３４４に挿入される内挿側挿入突起３５４と、第２内挿部３５３から背面側に突出する内挿側係止部３５５とが設けられている。
【００８３】
内挿側係止部３５５は、第２内挿部３５２の背面側の端部に連接される揺動部３５６と、その揺動部３５６の背面側端部に形成されると共に筒部材３３１の第１切り欠き３４５に係止される係止爪３５７と、その係止爪３５７の背面側に設けられるテーパ面３５８と、係止爪３５７の前面側に設けられる係止面３５９とで構成されている。
【００８４】
内挿部材３３２と筒部材３３１との結合は、内挿部材３３２の内挿側挿入突起３５４を筒部材３３１の第１切り欠き３４４内に挿入しつつ内挿部材３３１を取付側結合部３０６側に押し込むことで行われる。内挿部材３３１が取付側結合部３０６側に押し込まれると、まず、テーパ面３５８が第１筒部３４１の内面に当接し、更に押し込まれると、筒部材３３１の内面により係止爪３５７が内挿部材３３２の軸心方向へ押されて内挿部材３３２の挿入が行われる。そして、内挿部材３３２が取り付け位置まで達すると、係止爪３５７が揺動部３５６により押し戻され、筒部材３３１の第２切り欠き３４５に係止されて、筒部材３３１と内挿部材３３２との結合が行われる（図８（ｂ）の状態）。この際に、係止爪３５７の係止面３５９により内挿部材３３２の引き抜きが防止される。
【００８５】
次いで、図９から図１１を参照して、蓋側結合部２５５について説明する。図９は、ボックス蓋２１２の部分拡大正面図であり、図１０は、図９のＸ−Ｘ線におけるボックス蓋２１２の部分拡大断面図である。また、図１１（ａ）は、図９のＸＩａ−ＸＩａ線におけるボックス蓋２１２の部分拡大断面図であり、図１１（ｂ）は、図９のＸＩｂ−ＸＩｂ線におけるボックス蓋２１２の部分拡大断面図である。
【００８６】
図９から図１１に示すように、蓋側結合部２５５は、結合部材２５９が挿入される第１凹部２６１と、その第１凹部２６１の外周側をボックス蓋２１２の本体部分（側壁部２４５）に連結する一対の第１連結部３２６２と、第１凹部２６１が外周側に固着された結合部材２５９が挿入される第２凹部２７１と、その第２凹部２７１の外周側をボックス蓋２１２の本体部分（側壁部２４５）に連結する一対の第２連結部２７２とを主に備えて構成されている。
【００８７】
第１凹部２６１は、内周面および外周面が軸直断面視円形に形成される筒状体であり、上面側（図９紙面手前側）が開放されると共に、底面側（図９紙面奥側）に第１底壁２６３が内方に張り出して形成されている。第１底壁２６３には、正面視円形の第１貫通孔２６３ａが貫通形成されており、結合部材２５９の第２筒部３４２（図８参照）が貫挿可能とされている。
【００８８】
一対の第１連結部３２６２は、第１凹部２６１の軸心を通過する仮想線（図９上下方向）に沿って直線状に形成されると共に、第１凹部２６１の外周面に連結する箇所が他の箇所に比べて細幅（図９参照）に形成されている。第１凹部２６１の内周面には、結合部材２５９の筒側挿入突起３４３（図８参照）が挿入される第１挿入溝２６１ａが、一対の第１連結部３２６２の内の一方に対向する位置において第１凹部２６１の軸心方向に沿って凹設されている。この第１挿入溝２６１ａは、底壁２６３の上面を越える位置まで延設され、かかる第１挿入溝２６１ａによって底壁２６３の一部が凹設されている。
【００８９】
第１凹部２６１の外周面には、第２凹部２７１の第２挿入溝２７１ａに挿入される第１挿入突起２６１ｂが、一対の第１連結部３２６２に対して位相を９０度ずらした位置において外方へ向けて凸設されている。
【００９０】
第２凹部２７１は、内周面および外周面が軸直断面視円形に形成される筒状体であり、上面側（図９紙面手前側）が開放されると共に、底面側（図９紙面奥側）に第２底壁２７３が内方に張り出して形成されている。第２底壁２７３には、正面視円形の第２貫通孔２７３ａが貫通形成されており、結合部材２５９の第２筒部３４２（図８参照）が貫挿可能とされている。なお、第２凹部２７１の内径は、第１凹部２６１の外径よりも若干大きく形成されており、第２凹部２７１の内周側に第１凹部２６１が内嵌可能かつ接着剤により固着可能に構成されている（図１６参照）。
【００９１】
一対の第２連結部２７２は、第２凹部２７１の軸心を通過する仮想線（図９上下方向）に沿って直線状に形成されると共に、第２凹部２７１の外周面に連結する箇所が他の箇所に比べて細幅（図９参照）に形成されている。第２凹部２７１の内周面には、第１凹部２６１の第１挿入突起２６１ｂが挿入される第２挿入溝２７１ａが、一対の第２連結部２７２に対して位相を９０度ずらした位置に凹設されている。
【００９２】
また、第２凹部２７１の内周面には、一対の第１連結部３２６２を切断して第１凹部２６１を取り外した際に、第１凹部２６１の外周面に残存した第１連結部３２６２を受け入れるための一対の第２連結受入部２７１ｂが、一対の第２連結部２７２に対向する位置に凹設されている。
【００９３】
これら第２挿入溝２７１ａ及び第２連結受入部２７１ｂの延設長さ（第２凹部２７１の軸心方向（図１０及び図１１上下方向）の長さ）は、第１挿入突起２６１ａ及び第１連結壁２６２の高さ寸法（第１凹部２６１の軸心方向（図１０及び図１１上下方向）の長さ）と同等か若干大きくされている。そして、第２凹部２７１の深さ寸法（第２凹部２７１の上側端面から底壁２７３の上面までの寸法）は、第１凹部２６１の高さ寸法（第１凹部２６１の上側端面から底壁２６３の底面までの寸法）と同等か若干大きくされている。これにより、第２凹部２７１へ第１凹部２６１を内嵌した場合に、第２凹部２７１の上側端面から第１凹部２６１の上側端面が突出することを抑制することができる。その結果、第１凹部２６１を引き抜かれ難くすることができる。
【００９４】
第２凹部２７１の外周面には、蓋側返送用封印部２５４の第３挿入溝２８１ａに挿入される第２挿入突起２７１ｃが、一対の第２連結部２７２に対して位相を９０度ずらした位置において外方へ向けて凸設されている。
【００９５】
蓋側返送用封印部２５４は、第２凹部２７１が外周側に固着された結合部材２５９が挿入される第３凹部２８１と、その第３凹部２８１の外周側をボックス蓋２１２の本体部分（側壁部２４５）に連結する一対の第３連結部２８２とを主に備えて構成されている。
【００９６】
第３凹部２８１は、内周面および外周面が軸直断面視円形に形成される筒状体であり、上面側（図９紙面手前側）が開放されると共に、底面側（図９紙面奥側）に第３底壁２８３が内方に張り出して形成されている。第３底壁２８３には、正面視円形の第３貫通孔２８３ａが貫通形成されており、結合部材２５９の第２筒部３４２（図８参照）が貫挿可能とされている。なお、第３凹部２８１の内径は、第２凹部２７１の外径よりも若干大きく形成されており、第３凹部２８１の内周側に第２凹部２７１が内嵌可能かつ接着剤により固着可能に構成されている（図１７参照）。
【００９７】
一対の第３連結部２８２は、第３凹部２８１の軸心を通過する仮想線（図９左右方向）に沿って直線状に形成されている。第３凹部２８１の内周面には、第２凹部２７１の第２挿入突起２７１ｃが挿入される第３挿入溝２８１ａが、一対の第３連結部２８２の内の一方に対向する位置に凹設されている。
【００９８】
また、第３凹部２８１の内周面には、一対の第２連結部２７２を切断して第２凹部２７１を取り外した際に、第２凹部２７１の外周面に残存した第２連結部２７２を受け入れるための一対の第３連結受入部２８１ｂが、一対の第３連結部２８２に対して位相を９０度ずらした位置に凹設されている。
【００９９】
次いで、図１２を参照して、取付結合部３０６について説明する。図１２は、揺動ベース２８２の部分拡大正面図である。取付結合部３０６は、結合部材２５９が挿入されるように内部が空洞の箱状体として形成されており、その箱状体の正面側（図１２紙面手前側）を構成する上壁４０６に貫通孔４０４が穿設されると共に、その貫通孔４０４の内縁の一部に切り欠き４０５が切り欠き形成されている。貫通孔４０４は、結合部材２５９が貫挿される開口であり、正面視略円形に形成されている。切り欠き４０５は、結合部材２５９を取り外す際に係止爪３４９を通過させるための部位であり、係止爪３４９よりも大きな外形を有している。なお、切り欠き４０５は、結合部材２５９が取付側結合部３０６に結合された状態で、その係止爪３４９に対して周方向に９０度ずれた位置（即ち、係止爪３４９から最も離間した位置）に設けられており、結合部材２５９の取り外しを困難としている。
【０１００】
次いで、図１３を参照して、結合部材２５９により基板ボックス２２１と取付ベース２２２とを結合して封印する方法について説明する。図１３は、基板ユニット２２０の部分断面図であり、図１３（ａ）は第１凹部２６１及び取付側結合部３０６が結合部材２５９により結合される前の状態が、図１３（ｂ）は第１凹部２６１及び取付側結合部３０６が筒部材３３１のみにより結合された状態が、図１３（ｃ）は第１凹部２６１及び取付側結合部３０６が結合部材２５９により封印された状態が、それぞれ図示されている。なお、図１３は、図９のＸ−Ｘ線における断面図に対応する。また、図１３では、図面を簡素化して、理解を容易とするために、一部の構成にのみ符号を付して説明する。
【０１０１】
上述したように、基板ボックス２２１が取付ベース２２２に対してスライド移動して取り付けられると、蓋側結合部２５５（第１凹部２６１）と取付側結合部３０６とが対向する位置に配設される（図１３（ａ）の状態）。この状態で、第１凹部２６１の内周面と筒部材３３１の外周面との内の一方または両方に接着剤を塗布し、筒側挿入突起３４３（図８参照）が第１凹部２６１の第１挿入溝２６１ａに挿入される位置で、筒部材３３１を第１凹部２６１へ押し込む。この際、係止爪３４９は、第１凹部２６１の内周面により押されて軸心方向に揺動する。筒部材３３１が更に押し込まれて係止爪３４９が取付側結合部３０６の貫通孔４０４を通過すると、係止爪３４９が揺動部３４８により筒部材３３１の径方向外側に揺動され、取付結合部３０６の上壁４０６に係止されると共に、第１凹部２６１に筒部材３３１が固着される（図１３（ｂ）の状態）。
【０１０２】
そして、内挿側挿入突起３５４（図８参照）が第１切り欠き３４４（図８参照）に挿入される位置で、内挿部材３３２を筒部材３３１内に押し込む。この際、係止爪３５７（図８参照）は、筒部材３３１の内壁により押されて軸心方向に揺動する。内挿部材３３２が更に押し込まれて係止爪３５７が第２切り欠き３４５に達すると、係止爪３５７が揺動部３５６により内挿部材３３２の径方向外側に揺動され、係止爪３５７と第２切り欠き３４５とが係止される（図１３（ｃ）の状態）。
【０１０３】
この場合、結合部材２５９は、第１挿入溝２６１ａと筒側挿入突起３４３との係合により、周方向への回転が規制されるので、筒部材３３１の係止爪３４９が取付側結合部３０６の切り欠き４０５に対応する位置まで回転することが規制され、第１凹部２６１及び取付側結合部３０６の結合が解除されることを防止できる。
【０１０４】
また、筒部材３３１の係止爪３４９は、筒部材３３１内に内挿部材３３２が内挿されているので、軸心方向への揺動が規制されている。よって、係止爪３４９が不正行為により軸心方向に揺動され、係止爪３４９と上壁４０６との係合が解除されることを抑制できる。その結果、結合部材２５９が引き抜かれることを抑制できる。
【０１０５】
次いで、図１４及び図１５を参照して、結合部材２５９の結合により封印された基板ボックス２２１及び取付ベース２２２の封印の解除方法について説明する。図１４（ａ）は、基板ユニット２２０の部分拡大正面図であり、図１４（ｂ）は取付側結合部３０６の上壁４０６の部分拡大背面図である。また、図１５は、基板ユニット２２０の部分拡大断面図である。なお、図１４（ａ）及び図１４（ｂ）では、第１連結部２６２が切断され、結合部材２５９が周方向に９０度だけ回転された状態が図示されている。また、図１５は、図９のＸ−Ｘ線における断面図に対応し、第１凹部２６１が外周側に固着された結合部材２５９が取り外された状態が図示されている。
【０１０６】
結合部材２５９は、上述した通り、第１凹部２６１及び取付側結合部３０６により結合された状態で取り外し不可に構成されているので、基板ボックス２２１と取付ベース２２２との結合を解除するためには、ボックス蓋２１２の本体部分と第１凹部２６１とを連結する一対の第１連結部２６２をニッパなどの工具で切断（破壊）する。第１連結部２６２を切断すると、結合部材２５９は第１凹部２６１と共に周方向に回転可能となるので、これら結合部材２５９と第１凹部２６１とを一体の状態のままで９０度回転させ、係止爪３４９を切り欠き４０５に対応する位置に移動させる（図１４（ａ）及び図１４（ｂ）の状態）。これにより、第１凹部２６１とその第１凹部２６１が固着（接着）された結合部材２５９とを一体として取付側結合部３０６から引き抜くことができる（図１５の状態）。これら第１凹部２６１及び結合部材２５９が引き抜かれると、基板ボックス２２１と取付ベース２２２との封印が解除され、基板ボックス２２１がスライド移動して取付ベース２２２から取り外し可能になる。このように、基板ボックス２２１を取付ベース２２２から取り外す場合には、第１連結部２６２が切断により破壊されるので、ホール関係者などは、基板ボックス２２１が取り外されたことを容易に確認することができる。
【０１０７】
なお、引き抜かれた状態の第１凹部２６１と結合部材２５９とは、結合部材２５９の挿入方向先端側に内挿部材３３２の係止爪３５７が露出しているので、係止爪３５７を軸心方向に押さえつつ筒部材３３１の第２切り欠き３４５との係止を解除することで、内挿部材３３２を筒部材３３１から引き抜くことができる（図１６参照）。
【０１０８】
次いで、図１６を参照して、封印の解除に伴い回収された結合部材２５９を使用して、第２凹部２７１及び取付側結合部３０６を結合することで、基板ボックス２２１と取付ベース２２２とを再封印する方法について説明する。図１６は、基板ユニット２２０の部分断面図であり、図１６（ａ）は第２凹部２７１及び取付側結合部３０６が第１凹部２６１及び結合部材２５９により結合される前の状態が、図１６（ｂ）は第２凹部２７１及び取付側結合部３０６が第１凹部２６１及び筒部材３３１のみにより結合された状態が、図１６（ｃ）は第２凹部２７１及び取付側結合部３０６が第１凹部２６１及び結合部材２５９により封印された状態が、それぞれ図示されている。なお、図１６は、図９のＸ−Ｘ線における断面図に対応する。また、図１６では、図面を簡素化して、理解を容易とするために、一部の構成にのみ符号を付して説明する。
【０１０９】
基板ユニット２２０を開封した後に再封印する場合には、上述したように、基板ボックス２２１を取付ベース２２２に対してスライド移動して取り付けることで、蓋側結合部２５５（第２凹部２７１）と取付側結合部３０６とを対向する位置に配設する（図１６（ａ）の状態）。この状態で、第２凹部２７１の内周面と、筒部材３３１に固着された第１凹部２６１の外周面との内の一方または両方に接着剤を塗布し、第２凹部２７１の第２挿入溝２７１ａに第１凹部２６１の第１挿入突起２６１ｂが、第２凹部２７１の第２連結受入部２７１ｂに第１凹部２６１の外周面に残存した第１連結部２６２（図１４（ａ）参照）が、それぞれ挿入される位置で、第１凹部２６１及び筒部材３３１を第２凹部２７１に押し込む。
【０１１０】
この際、係止爪３４９は、第２凹部２７１の底壁２７３における貫通孔２７３ａにより押されて軸心方向に揺動する。筒部材３３１が更に押し込まれて係止爪３４９が取付側結合部３０６の貫通孔４０４を通過すると、係止爪３４９が揺動部３４８により筒部材３３１の径方向外側に揺動され、取付結合部３０６の上壁４０６に係止されると共に、第２凹部２７１に第１凹部２６１が固着される（図１６（ｂ）の状態）。
【０１１１】
そして、上述した最初の封印の場合（図１３参照）と同様に、内挿側挿入突起３５４（図８参照）が第１切り欠き３４４（図８参照）に挿入される位置で、内挿部材３３２を筒部材３３１内に押し込む。この際、係止爪３５７（図８参照）は、筒部材３３１の内壁により押されて軸心方向に揺動する。内挿部材３３２が更に押し込まれて係止爪３５７が第２切り欠き３４５に達すると、係止爪３５７が揺動部３５６により内挿部材３３２の径方向外側に揺動され、係止爪３５７と第２切り欠き３４５とが係止される（図１６（ｃ）の状態）。
【０１１２】
この場合、結合部材２５９は、その筒側挿入突起３４３が第１凹部２６１の第１挿入溝２６１ａに係合されると共に、第１凹部２６１の第１挿入突起２６１ｂが第２凹部２７１の第２挿入溝２７１ａに嵌合されることで、周方向への回転が規制されるので、筒部材３３１の係止爪３４９が取付側結合部３０６の切り欠き４０５に対応する位置まで回転することが規制され、第２凹部２７１及び取付側結合部３０６の結合が解除されることを防止できる。
【０１１３】
また、筒部材３３１の係止爪３４９は、筒部材３３１内に内挿部材３３２が内挿されているので、軸心方向への揺動が規制されている。よって、係止爪３４９が不正行為により軸心方向に揺動され、係止爪３４９と上壁４０６との係合が解除されることを抑制できる。その結果、結合部材２５９が引き抜かれることを抑制できる。
【０１１４】
なお、この場合、基板ボックス２２１と取付ベース２２２との結合を解除するためには、ボックス蓋２１２の本体部分と第２凹部２７１とを連結する一対の第２連結部２７２をニッパなどの工具で切断（破壊）する。第２連結部２７２を切断すると、結合部材２５９は第１凹部２６１及び第２凹部２７１と共に周方向に回転可能となるので、これら結合部材２５９と第１凹部２６１及び第２凹部２７１とを一体の状態のままで９０度回転させ、係止爪３４９を切り欠き４０５に対応する位置に移動させる（図１４（ａ）及び図１４（ｂ）参照）。これにより、第２凹部２７１とその第２凹部２７１が固着（接着）された第１凹部２６１及び結合部材２５９とを一体として取付側結合部３０６から引き抜くことができる。これら第２凹部２７１、第１凹部２６１及び結合部材２５９が一体となった状態で引き抜かれると、基板ボックス２２１と取付ベース２２２との再封印が解除され、基板ボックス２２１がスライド移動して取付ベース２２２から取り外し可能になる。このように、基板ボックス２２１を取付ベース２２２から取り外す場合には、第２連結部２７２が切断により破壊されるので、ホール関係者などは、基板ボックス２２１が取り外されたことを容易に確認することができる。
【０１１５】
次いで、図１７を参照して、再封印の解除に伴い回収された結合部材２５９を使用して、基板ボックス２２１を封印する方法について説明する。図１７は、基板ユニット２２０の部分断面図であり、基板ボックス２２１が第１凹部２６１、第２凹部２７１及び結合部材２５９により封印された状態が図示されている。なお、図１７は、図９のＸ−Ｘ線における断面図に対応する。また、図１７では、図面を簡素化して、理解を容易とするために、一部の構成にのみ符号を付して説明する。
【０１１６】
基板ボックス２２１（ボックスベース２１１及びボックス蓋２１２）を封印する場合には、ベース側返送用封印部２３１と第３凹部２８１とを、第１凹部２６１及び第２凹部２７１が外周側に固着された結合部材２５９により結合する。即ち、上述したように、基板ボックス２２１と取付ベース２２２との１回目の封印を解除することで、第１凹部２６１が外周側に固着された結合部材２５９が回収され（図１５参照）、基板ボックス２２１と取付ベース２２２との２回目の封印（再封印）を解除することで、第１凹部２６１及び第２凹部２７１が外周側に固着された結合部材２５９が回収される。
【０１１７】
この再封印の解除により回収され第１凹部２６１及び第２凹部２７１が外周側に固着された結合部材２５９は、上述したように、その結合部材２５９の挿入方向先端側に内挿部材３３２の係止爪３５７が露出しているので、係止爪３５７を軸心方向に押さえつつ筒部材３３１の第２切り欠き３４５との係止を解除することで、内挿部材３３２を筒部材３３１から引き抜く。
【０１１８】
基板ボックス２２１を組み立てると、蓋側返送用封印部２５４（第３凹部２８１）とベース側返送用封印部２３１とが対向する位置に配設されるので、第２凹部２７１の第２挿入突起２７１ｃが第３凹部２８１の第３挿入溝２８１ａ（図９及び図１０参照）に挿入される位置で、第１凹部２６１及び第２凹部２７１が外周側に固着された筒部材３３１を第３凹部２８１へ押し込み、係止爪３４９をベース側返送用封印部２３１の上壁に係止させる。そして、内挿側挿入突起３５４（図８参照）が第１切り欠き３４４（図８参照）に挿入される位置で、内挿部材３３２を筒部材３３１内に押し込む。これにより、筒部材３３１の係止爪３４９がベース側返送用封印部２３１の上壁に係止され、蓋側返送用封印部２５４（第３凹部２８１）とベース側返送用封印部２３１とが封印される。
【０１１９】
この場合、ベース側返送用封印部２３１は、結合部材２５９の係止爪３４９，３５５の係止解除を不能とするために密閉形状に形成されている。よって、結合部材２５９は、主基板２１３（図５参照）の修理などの為に基板ボックス２２１をメーカーに送り返す場合に、基板ボックス２２１を開封不能に封印することができるので、基板ボックス２２１のメーカーへの返送途中に基板ボックス２２１がバラバラになり部品などが紛失することを抑制できる。
【０１２０】
また、結合部材２５９は、再利用可能に構成されているが、基板ユニット２２０において１つしか備えられていない。そして、メーカーへの返送時にも使用されてメーカーに返却されるので、結合部材２５９が市場に流通することを抑制することもできる。よって、結合部材２５９が市場に流通することで、例えば、２つの基板ボックスから１の基板ボックスを不正に製作する場合に結合部材２５９が使用されることを抑制することができる。
【０１２１】
また、各返送用封印部２３１，２５４を介して結合部材２５９により封印された基板ボックス２２１を開封する場合にも、第３連結部２８２をニッパなどの工具で切断しなければならないので、メーカーへの返送途中に基板ボックス２２１が開封された場合にも痕跡が残り、基板ボックス２２１の開封を発見することができる。
【０１２２】
特に、結合部材２５９には、第１凹部２６１及び第２凹部２７１が接着剤によって固着されているので、第１凹部２６１及び第２凹部２７１の除去を困難として、結合部材２５９に痕跡が残らずに回収することを防止することができる。
【０１２３】
次いで、本スロットマシン１０の電気的構成について、図１８を参照して説明する。図１８は、スロットマシン１０の電気的構成を示すブロック図である。
【０１２４】
主制御装置１０１には、演算処理手段であるＭＰＵ１０２を中心とするマイクロコンピュータが搭載されている。ＭＰＵ１０２には、電源装置９１の他に、所定周波数の矩形波を出力するクロック回路１０３や、入出力ポート１０４などが内部バスを介して接続されている。かかる主制御装置１０１は、スロットマシン１０に内蔵されるメイン基盤としての機能を果たすものである。
【０１２５】
主制御装置１０１の入力側には、リールユニット３１（より詳しくは各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、メダル投入口４５（図１参照）から投入されたメダルを検出する投入メダル検出センサ４５ａ、ホッパ装置５１から払い出されるメダルを検出する払出検出センサ５１ａ、各クレジット投入スイッチ５６，５７の操作を個別に検出するクレジット投入検出センサ５６ａ，５７ａ、精算スイッチ５８の操作を検出する精算検出センサ５８ａ、リセットスイッチ７２の操作を検出するリセット検出センサ７２ａ、キーシリンダ７３（図５参照）に設定キーが挿入されてＯＮ操作されたことを検出する設定キー検出センサ７３ａ等の各種センサが接続されており、これら各種センサからの信号は入出力ポート１０４を介してＭＰＵ１０２へ出力されるようになっている。
【０１２６】
また、主制御装置１０１の入力側には、入出力ポート１０４を介して電源装置９１が接続されている。電源装置９１には、主制御装置１０１を始めとしてスロットマシン１０の各電子機器に駆動電力を供給する電源部９１ａや、停電監視回路９１ｂなどが搭載されている。
【０１２７】
停電監視回路９１ｂは電源の遮断状態を監視し、停電時はもとより、電源スイッチ７１（図２参照）による電源遮断時に停電信号を生成するためのものである。そのため停電監視回路９１ｂは、電源部９１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＭＰＵ１０２と入出力ポート１０４のそれぞれに供給され、ＭＰＵ１０２ではこの停電信号を認識することにより後述する停電時処理が実行される。また、この停電信号は表示制御装置８１にも供給されるように構成されている。
【０１２８】
電源部９１ａは、出力電圧が１０ボルト未満まで低下した場合でも、主制御装置１０１などの制御系において駆動電圧として使用される５ボルトの安定化電圧が出力されるように構成されている。この安定化電圧が出力される時間としては、主制御装置１０１による停電時処理を実行するに十分な時間が確保されている。
【０１２９】
主制御装置１０１の出力側には、リールユニット３１（より詳しくは各リール３２Ｌ，３２Ｍ，３２Ｒを回転させるためのステッピングモータ）、セレクタ４６（図２参照）に設けられたメダル通路切替ソレノイド４６ａ、ホッパ装置５１、クレジット表示部６０（図１参照）、残払出枚数表示部６１（図１参照）、払出枚数表示部６２（図１参照）、表示制御装置８１、図示しないホール管理装置などに情報を送信できる外部集中端子板１２１等が入出力ポート１０４を介して接続されている。
【０１３０】
表示制御装置８１は、上部ランプ６３やスピーカ６４、補助表示部６５を駆動させるための制御装置であり、これらを駆動させるためのＭＰＵ、ＲＯＭ、ＲＡＭ等が一体化された基板を備えている。そして、主制御装置１０１からの信号を受け取った上で、表示制御装置８１が独自に上部ランプ６３、スピーカ６４及び補助表示部６５を駆動制御する。したがって、表示制御装置８１は、遊技を統括管理するメイン基盤たる主制御装置１０１との関係では補助的な制御を実行するサブ基盤となっている。なお、各種表示部６０〜６２も表示制御装置８１が駆動制御する構成としてもよい。
【０１３１】
上述したＭＰＵ１０２には、このＭＰＵ１０２によって実行される各種の制御プログラムや固定値データを記憶したＲＯＭ１０５、このＲＯＭ１０５に記憶されている制御プログラムを実行するにあたって各種のデータを一時的に記憶する作業エリアを確保するためのＲＡＭ１０６、乱数を発生するフリーランカウンタ１０７が内蔵されている。また、ＭＰＵ１０２には、図示はしないが周知のように割込み回路を始めとしてタイマ回路、データ送受信回路などスロットマシン１０において必要な各種の処理回路や、クレジット枚数をカウントするクレジットカウンタなどの各種カウンタも内蔵されている。
【０１３２】
フリーランカウンタ１０７は、０〜６５５３５の乱数を短い周期で生成して更新するハードウェアによって構成されたカウンタである。ＭＰＵ１０２は、スタートレバー４１の操作をスタート検出センサ４１ａの出力信号に基づいて確認した後、ハード回路によってフリーランカウンタ１０７の値をラッチし、そのラッチした値をＲＡＭ１０６に格納する。かかる構成とすることにより、スタートレバー４１が操作されたタイミングで速やかに乱数を取得することが可能となり、同期等の問題が発生することを回避することが可能となる。尚、本スロットマシン１０のハード回路は、スタートレバー４１が操作される毎にその都度のフリーランカウンタ１０７の値をラッチする構成となっている。また、ラッチされ、ＲＡＭ１０６に格納されたフリーランカウンタの値は、スタートレバー４１の操作によって開始されるゲームの入賞態様（役）を抽選するために用いられる。
【０１３３】
ＲＯＭ１０５とＲＡＭ１０６とは、記憶手段としてのメインメモリを構成するものであり、各種処理を実行するためのプログラムは、制御プログラムの一部としてＲＯＭ１０５に記憶されている。また、ＲＯＭ１０５には、入賞態様の抽選に用いられる抽選テーブルを格納する抽選テーブル格納エリア１０５ａが設けられている。
【０１３４】
ＲＡＭ１０６は、スロットマシン１０の電源が遮断された後においても電源装置９１からバックアップ電圧が供給されてデータを保持（バックアップ）できる構成となっている。ＲＡＭ１０６には、各種のデータを一時的に記憶するためのメモリや、役の抽選結果を記憶するための当選フラグ格納エリア１０６ａ、各リール３２Ｌ，３２Ｍ，３２Ｒの停止制御を行う場合に用いるスベリテーブルを記憶するためのスベリテーブル格納エリア１０６ｂ、ボーナス状態等の遊技状態を記憶するための状態情報格納エリア１０６ｃ等の他に、バックアップエリアが設けられている。
【０１３５】
バックアップエリアは、停電等の発生により電源が遮断された場合において、電源遮断時（電源スイッチ７１の操作による電源遮断をも含む。以下同様）のスタックポインタの値を記憶しておくためのエリアであり、停電解消時（電源スイッチ７１の操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。
【０１３６】
また、ＭＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるようになっている。
【０１３７】
続いて、主制御装置１０１のＭＰＵ１０２により実行される各制御処理について説明する。かかるＭＰＵ１０２の処理としては、大別して、電源投入に伴い起動されるメイン処理と、定期的に（本実施形態では１．４９ｍｓｅｃ周期で）起動されるタイマ割込み処理と、ＮＭＩ端子への停電信号の入力に伴い起動されるＮＭＩ割込み処理とがある。タイマ割込み処理では、各種のセンサ入力を監視する処理や、ステッピングモータやランプ、スピーカなどへの出力を実行する処理が実行され、ＮＭＩ割込処理では、停電信号が入力された場合に、遊技内容をＲＡＭ１０６のバックアップエリア（図示せず）に記憶する停電処理が実行される。
【０１３８】
次に、図１９を参照して、主制御装置１０１のＭＰＵ１０２により実行される通常処理について説明する。図１９は、主制御装置１０１のＭＰＵ１０２により実行される通常処理を示したフローチャートである。
【０１３９】
通常処理は、遊技に関わる主要な制御を行う処理で、ＭＰＵ１０２により通常処理が実行されると、先ず、次回のタイマ割込みを許可する割込み許可処理を行い（Ｓ２０１）、次に、遊技を可能とするための開始前処理を行う（Ｓ２０２）。この開始前処理では、表示制御装置８１等が初期化を終了するまで待機する。そして、表示制御装置８１等の初期化が終了した場合には、続くＳ２０３〜Ｓ２１３に示す遊技管理処理を行う。
【０１４０】
遊技管理処理として、まず、Ｓ２０３の処理では、ＲＡＭ１０６に格納された各種遊技情報等のデータ（例えば前回の遊技で用いた乱数値やＢＢ入賞を除く各入賞の当選を示す各当選フラグ等）をクリアし、続くＳ２０４の処理では開始待ち処理を行う。
【０１４１】
Ｓ２０４の開始待ち処理では、前回の遊技でリプレイ入賞が成立したか否かを判定し、リプレイ入賞が成立していた場合には、前回のベット数と同数の仮想メダルを自動投入する自動投入処理を行い、開始待ち処理を終了する。なお、自動投入処理では、クレジット表示部６０に表示された仮想メダル数を減じることなく仮想メダルの投入を行う。つまり、前回の遊技でリプレイ入賞が成立した場合には、遊技者は所有するメダルを減らすことなく且つメダルを投入することなく今回の遊技を行うことができる。
【０１４２】
一方、いずれのリプレイ入賞も成立していなかった場合には、タイマ割込み処理で読み込まれたセンサの読込結果に異常が発生していないかを確認するセンサ異常確認処理を行い、異常が発生している場合にはスロットマシン１０をエラー状態とすると共にエラーの発生を報知する異常発生時処理を行う。かかるエラー状態は、リセットスイッチ７２が操作されるまで維持される。
【０１４３】
センサの読み込み結果が正常である場合には精算スイッチ５８が操作されたか否かを判定し、精算スイッチ５８が操作された場合には、クレジットされた仮想メダルと同数のメダルを払い出すメダル返却処理を行う。メダル返却処理の終了後又は精算スイッチ５８が操作されていない場合には、前回の開始待ち処理から今回の開始待ち処理までの間にメダルの投入又はクレジット投入スイッチ５６，５７の操作がなされたか否かを判定し、いずれかが行われた場合にはメダル投入処理を行い、開始待ち処理を終了する。また、前回の開始待ち処理から今回の開始待ち処理までの間にメダルの投入とクレジット投入スイッチ５６，５７の操作のいずれもなされていない場合には、そのまま開始待ち処理を終了する。
【０１４４】
Ｓ２０４の開始待ち処理の終了後、次いで、メダルのベット数が規定数に達しているか否かを判定し（Ｓ２０５）、ベット数が規定数に達していない場合には（Ｓ２０５：Ｎｏ）、Ｓ２０４の開始待ち処理に戻って、当該処理のうちセンサ異常確認処理以降の処理を行う。尚、本実施形態において、ベット数の規定数は、スロットマシン１０の遊技状態に応じて設定される。即ち、スロットマシン１０の遊技状態が一般遊技状態にある場合は規定数を１枚〜３枚に設定し、ボーナス状態にある場合は規定数を３枚に設定する。これにより、一般遊技状態ではベット数が３枚だけでなく、１枚または２枚であってもゲームを開始することができる。
【０１４５】
Ｓ２０５の処理の結果、ベット数が規定数に達している場合には（Ｓ２０５：Ｙｅｓ）、次いで、スタートレバー４１が操作されたか否かを判定する（Ｓ２０６）。そして、スタートレバー４１が操作されていない場合には（Ｓ２０６：Ｎｏ）、ステップＳ２０４の開始待ち処理に戻り、当該処理のうちセンサ異常確認処理以降の処理を行う。
【０１４６】
一方、スタートレバー４１が操作された場合には（Ｓ２０６：Ｙｅｓ）、本スロットマシン１０が規定数のメダルがベットされている状況下でスタートレバー４１が操作されると遊技を開始できる構成となっているため、遊技を開始させるべく開始指令が発生したことを意味する。そこで、かかる場合には、メダル通路切替ソレノイド４６ａを非励磁状態に切り替えてベット受付を禁止する（Ｓ２０７）。続く２０８の処理では、有効ラインを設定する有効ライン設定処理を行う（Ｓ２０８）。この有効ライン設定処理では、上ラインＬ１，中ラインＬ２，下ラインＬ３，右下がりラインＬ４，右上がりラインＬ５の全ての組合せラインを有効ラインとして設定する。そして、開始コマンドをセットする（Ｓ２０９）。ここで、開始コマンドとは、開始指令が発生したことを把握させるべく表示制御装置８１に対して送信されるコマンドである。
【０１４７】
その後、当選フラグ格納エリア１０６ａの値に基づく抽選処理（Ｓ２１０）、スベリテーブル格納エリア１０６ｂの値に基づくリール制御処理（Ｓ２１１）、遊技に当選し且つクレジットが一杯であった場合にメダルを払い出すメダル払出処理（Ｓ２１２）、ボーナス状態であった場合にボーナスゲームを実行するボーナス状態処理（Ｓ２１３）を順に実行し、Ｓ２０３の処理に戻る。
【０１４８】
次いで、図２０から図２６を参照して、第２実施の形態について説明する。第１実施の形態では、結合部材２５９の係止爪３４９が複数回の封印で共通して使用されたが、第２実施の形態では、結合部材２５９の係止爪３４９が第１回目の封印でのみ使用される。なお、第１実施の形態と同一の部分については同一の符号を付して、その説明を省略する。
【０１４９】
まず、図２０から図２２を参照して、第２実施の形態における蓋側結合部２２５５について説明する。図２０は、ボックス蓋２２１２の部分拡大正面図であり、図２１は、図２０のＸＸＩ−ＸＸＩ線におけるボックス蓋２２１２の部分拡大断面図である。また、図２２（ａ）は、図２０のＸＸＩＩａ−ＸＸＩＩａ線におけるボックス蓋２２１２の部分拡大断面図であり、図２２（ｂ）は、図２０のＸＸＩＩｂ−ＸＸＩＩｂ線におけるボックス蓋２２１２の部分拡大断面図である。
【０１５０】
図２０から図２２に示すように、蓋側結合部２２５５は、結合部材２５９が挿入される第１凹部２２６１と、その第１凹部２２６１の外周側をボックス蓋２２１２の本体部分（側壁部２４５）に連結する一対の第１連結部２６２と、第１凹部２２６１が外周側に固着された結合部材２２５９が挿入される第２凹部２２７１と、その第２凹部２２７１の外周側をボックス蓋２２１２の本体部分（側壁部２４５）に連結する一対の第２連結部２７２とを主に備えて構成されている。
【０１５１】
第１凹部２２６１は、ボックス蓋２２１２の前面側（図２１及び図２２上側）に位置すると共に内外周面が軸直断面視円形の筒状に形成される第１前面筒２２６３と、その第１前面筒２２６３の背面側（図２１及び図２２下側）に同軸状に連接されると共に内外周面が軸直断面視円形の筒状に形成される第１背面筒部２２６４と、その第１背面筒２２６４の背面側の端部から第１前面筒２２６３側に亘って形成される一対の第１切り欠き２２６５と、それら一対の第１切り欠き２２６５の前面側の端部にそれぞれ連接されると共に背面側へ延設される一対の第１揺動部２２６６と、それら各第１揺動部２２６６の背面側端部の外周からそれぞれ突設される共に取付側結合部２３０６の上壁４０６（図２５参照）に係止される第１係止爪２２６７とを備えて構成されている。
【０１５２】
第１前面筒２２６３と第１背面筒２２６４とは、同じ肉厚で筒状に形成されると共に、第１背面筒２２６４の内径および外径が、第１前面筒２２６３の内径および外径よりもそれぞれ小さくされている。これにより、第１前面筒２２６３と第１背面筒２２６４との連接部には内周面および外周面にそれぞれ段差が形成されている。
【０１５３】
第１凹部２２６１の第１前面筒２２６３の内周面には、結合部材２５９の筒側挿入突起３４３（図８参照）が挿入される第１挿入溝２６１ａが、一対の第１連結部２６２の内の一方に対向する位置において第１凹部２２６１の軸心方向に沿って凹設されている。この第１挿入溝２６１ａは、第１背面筒２２６４に達する位置まで延設され、かかる第１挿入溝２６１ａによって第１背面筒２２６４の一部が凹設されている。
【０１５４】
第１凹部２２６１の第１前面筒２２６３の外周面には、第２凹部２２７１の第２挿入溝２７１ａに挿入される第１挿入突起２６１ｂが、一対の第１連結部２６２に対して位相を９０度ずらした位置において外方へ向けて凸設されている。
【０１５５】
同様に、一対の第１揺動部２２６６は、第１挿入溝２６１ａに対して位相を９０°ずらした位置に形成されている。よって、結合部材２５９の筒側挿入突起３４３（図８参照）が第１挿入溝２６１ａに挿入される位置で、結合部材２５９が第１凹部２２６１に押し込まれると、一対の第１揺動部２２６６は結合部材２５９の一対の揺動部３４８にそれぞれ重なる位置に配置される（図２３参照）。第１揺動部２２６６の幅寸法（図２２（ａ）左右方向寸法）は、結合部材２５９の第３切り欠き３４７の幅寸法（図８（ａ）上下方向寸法）よりも小さくされているので、第１凹部２２６１に結合部材２５９が内嵌された状態においても、後述するように、第１揺動部２２６６を、結合部材２５９の揺動部３４８と共に、軸心方向へ揺動させることができる（図２５参照）。
【０１５６】
第２凹部２２７１は、内周面および外周面が軸直断面視円形に形成される筒状体であり、その筒状体の背面側（図２１及び図２２下側）の端部から前面側（図２１及び図２２上側）に向かって形成される一対の第２切り欠き２２７５と、それら一対の第２切り欠き２２７５の前面側の端部にそれぞれ連接されると共に背面側へ延設される一対の第２揺動部２２７６と、それら各第２揺動部２２７６の背面側端部の外周からそれぞれ突設される共に取付側結合部２３０６の上壁４０６（図２５参照）に係止される第２係止爪２２７７とを備えて構成されている。
【０１５７】
なお、第２凹部２２７１の内径は、第１凹部２２６１の第１前面筒２２６３の外径よりも若干大きく形成されており、第２凹部２２７１の内周側に第１凹部２２６１の第１前面筒２２６３が内嵌可能かつ接着剤により固着可能に構成されている（図２５参照）。
【０１５８】
第２凹部２２７１の内周面には、第１凹部２２６１の第１挿入突起２６１ｂが挿入される第２挿入溝２７１ａが、一対の第２連結部２７２に対して位相を９０度ずらした位置に凹設されている。
【０１５９】
また、第２凹部２２７１の内周面には、一対の第１連結部２６２を切断して第１凹部２２６１を取り外した際に、第１凹部２２６１の外周面に残存した第１連結部２６２を受け入れるための一対の第２連結受入部２７１ｂが、一対の第２連結部２７２に対向する位置に凹設されている。
【０１６０】
上述したように、第２挿入溝２７１ａ及び第２連結受入部２７１ｂの延設長さ（第２凹部２２７１の軸心方向（図２１及び図２２上下方向）の長さ）は、第１挿入突起２６１ａ及び第１連結壁２６２の高さ寸法（第１凹部２２６１の軸心方向（図２１及び図２２上下方向）の長さ）と同等か若干大きくされており、第２凹部２２７１へ第１凹部２２６１を内嵌した場合に、第２凹部２２７１の上側端面から第１凹部２２６１の上側端面が突出することが抑制できる（図２５参照）。その結果、第１凹部２２６１を引き抜かれ難くすることができる。
【０１６１】
また、このように、第２凹部２２７１に第１凹部２２６１が内嵌された状態では、第２揺動部２２７６の先端側（第２係止爪２２７７側）の少なくとも一部が、第１凹部２２６１の第１背面筒部２２６４に重なる位置まで、第２揺動部２２７６が背面側へ延設されている。よって、第２揺動部２２７６と第１凹部２２６１の第１背面筒部２２６４との間に隙間を設けることができるので、第２凹部２２７１に第１凹部２２６１が内嵌された状態でも、後述するように、第２揺動部２２７６を軸心方向へ揺動させることができる（図２６参照）。
【０１６２】
更に、一対の第２揺動部２２７６は、第２挿入溝２７１ａに対して位相を９０°ずらした位置に形成されている。よって、第１凹部２２６１の第１挿入突起２６１ｂが第２挿入溝２７１ａに挿入される位置で、第１凹部２２６１が第２凹部２２７１に押し込まれると、一対の第２揺動部２２７６は第１凹部２２６１の一対の第１揺動部２２６６にそれぞれ重なる位置に配置される（図２５参照）。第２揺動部２２７６の幅寸法（図２２（ｂ）左右方向寸法）は、第１凹部２２６１の第２切り欠き２２６５の幅寸法（図２２（ａ）左右方向寸法）よりも小さくされている。従って、第２揺動部２２７６と第１凹部２２６１の第１背面筒部２２６４との間に設けられた隙間の分だけ、第２揺動部２２７６が軸心方向へ揺動した後は、次いで、かかる第２揺動部２２７６を、第１凹部２２６１の第１揺動部２２６６と共に、軸心方向へ揺動させることができる（図２６参照）。
【０１６３】
第２凹部２２７１の外周面には、蓋側返送用封印部２２５４の第３挿入溝２８１ａに挿入される第２挿入突起２７１ｃが、一対の第２連結部２７２に対して位相を９０度ずらした位置において外方へ向けて凸設されている。
【０１６４】
蓋側返送用封印部２２５４は、第２凹部２２７１が外周側に固着された結合部材２５９が挿入される第３凹部２２８１と、その第３凹部２２８１の外周側をボックス蓋２２１２の本体部分（側壁部２４５）に連結する一対の第３連結部２８２とを主に備えて構成されている。
【０１６５】
第３凹部２２８１は、内周面および外周面が軸直断面視円形に形成される筒状体であり、その内径が、第２凹部２２７１の外径よりも若干大きく形成されることで、内周側に第２凹部２２７１を内嵌可能かつ接着剤により固着可能に構成されている（図２６参照）。第３凹部２２８１の内周面には、第２凹部２２７１の第２挿入突起２７１ｃが挿入される第３挿入溝２８１ａが、一対の第３連結部２８２の内の一方に対向する位置に凹設されている。
【０１６６】
また、第３凹部２２８１の内周面には、一対の第２連結部２７２を切断して第２凹部２２７１を取り外した際に、第２凹部２２７１の外周面に残存した第２連結部２７２を受け入れるための一対の第３連結受入部２８１ｂが、一対の第３連結部２８２に対して位相を９０度ずらした位置に凹設されている。
【０１６７】
次いで、図２３を参照して、結合部材２５９により基板ボックス２２２１と取付ベース２２２２とを結合して封印する方法について説明する。図２３は、基板ユニット２２２０の部分断面図であり、図２３（ａ）は第１凹部２２６１及び取付側結合部２３０６が結合部材２５９により結合される前の状態が、図２３（ｂ）は第１凹部２２６１及び取付側結合部２３０６が筒部材３３１のみにより結合された状態が、図２３（ｃ）は第１凹部２２６１及び取付側結合部２３０６が結合部材２５９により封印された状態が、それぞれ図示されている。なお、図２３は、図２０のＸＸＩ−ＸＸＩ線における断面図に対応する。また、図２３では、図面を簡素化して、理解を容易とするために、一部の構成にのみ符号を付して説明する。
【０１６８】
基板ボックス２２２１が取付ベース２２２２に対してスライド移動して取り付けられると、第１凹部２２６１と取付側結合部２３０６とが対向する位置に配設される（図２３（ａ）の状態）。この状態で、第１凹部２２６１の内周面と筒部材３３１の外周面との内の一方または両方に接着剤を塗布し、筒側挿入突起３４３（図８参照）が第１凹部２２６１の第１挿入溝２６１ａに挿入される位置で、筒部材３３１を第１凹部２２６１へ押し込む。この際、係止爪３４９は、第１凹部２２６１の内周面により押されて軸心方向に揺動する。筒部材３３１が更に押し込まれて係止爪３４９が取付側結合部２３０６の貫通孔４０４を通過すると、係止爪３４９が揺動部３４８により筒部材３３１の径方向外側に揺動され、取付結合部２３０６の上壁４０６に係止されると共に、第１凹部２２６１に筒部材３３１が固着される（図２３（ｂ）の状態）。
【０１６９】
そして、内挿側挿入突起３５４（図８参照）が第１切り欠き３４４（図８参照）に挿入される位置で、筒部材３３１内に内挿部材３３２を押し込む。この際、係止爪３５７（図８参照）は、筒部材３３１の内壁により押されて軸心方向に揺動する。内挿部材３３２が更に押し込まれて係止爪３５７が第２切り欠き３４５に達すると、係止爪３５７が揺動部３５６により内挿部材３３２の径方向外側に揺動され、係止爪３５７と第２切り欠き３４５とが係止される（図２３（ｃ）の状態）。
【０１７０】
この場合、結合部材２５９は、第１挿入溝２６１ａと筒側挿入突起３４３との係合により、周方向への回転が規制されるので、筒部材３３１の係止爪３４９が取付側結合部２３０６の切り欠き４０５に対応する位置まで回転することが規制され、第１凹部２２６１及び取付側結合部２３０６の結合が解除されることを防止できる。
【０１７１】
また、筒部材３３１の係止爪３４９は、筒部材３３１内に内挿部材３３２が内挿されているので、軸心方向への揺動が規制されている。よって、係止爪３４９が不正行為により軸心方向に揺動され、係止爪３４９と上壁４０６との係合が解除されることを抑制できる。その結果、結合部材２５９が引き抜かれることを抑制できる。
【０１７２】
次いで、図２４を参照して、結合部材２５９の結合により封印された基板ボックス２２２１及び取付ベース２２２２の封印の解除方法について説明する。図２４は、基板ユニット２２２０の部分拡大断面図である。なお、図２４は、図２０のＸＸＩ−ＸＸＩ線における断面図に対応し、第１凹部２２６１が外周側に固着された結合部材２５９が取り外された状態が図示されている。
【０１７３】
結合部材２５９により第１凹部２２６１及び取付側結合部２３０６が結合された状態から、基板ボックス２２２１及び取付ベース２２２２の封印を解除するためには、ボックス蓋２２１２の本体部分と第１凹部２２６１とを連結する一対の第１連結部２６２をニッパなどの工具で切断（破壊）する。第１連結部２６２を切断すると、結合部材２５９は第１凹部２２６１と共に周方向に回転可能となるので、これら結合部材２５９と第１凹部２２６１とを一体の状態のままで９０度回転させ、係止爪３４９を切り欠き４０５に対応する位置に移動させる。これにより、第１凹部２２６１とその第１凹部２２６１が固着（接着）された結合部材２５９とを一体として取付側結合部２３０６から引き抜くことができる。これら第１凹部２２６１及び結合部材２５９が引き抜かれると、基板ボックス２２２１と取付ベース２２２２との封印が解除され、基板ボックス２２２１がスライド移動して取付ベース２２２２から取り外し可能になる。このように、基板ボックス２２２１を取付ベース２２２２から取り外す場合には、第１連結部２６２が切断により破壊されるので、ホール関係者などは、基板ボックス２２２１が取り外されたことを容易に確認することができる。
【０１７４】
なお、引き抜かれた状態の第１凹部２２６１と結合部材２５９とは、結合部材２５９の挿入方向先端側に内挿部材３３２の係止爪３５７が露出しているので、係止爪３５７を軸心方向に押さえつつ筒部材３３１の第２切り欠き３４５との係止を解除することで、内挿部材３３２を筒部材３３１から引き抜くことができる（図２５参照）。
【０１７５】
次いで、図２５を参照して、封印の解除に伴い回収された結合部材２５９を使用して、第２凹部２２７１及び取付側結合部２３０６を結合することで、基板ボックス２２２１と取付ベース２２２２とを再封印する方法について説明する。図２５は、基板ユニット２２２０の部分断面図であり、図２５（ａ）は第２凹部２２７１及び取付側結合部２３０６が第１凹部２２６１及び結合部材２５９により結合される前の状態が、図２５（ｂ）は第２凹部２２７１及び取付側結合部２３０６が第１凹部２２６１及び筒部材３３１のみにより結合された状態が、図２５（ｃ）は第２凹部２２７１及び取付側結合部２３０６が第１凹部２２６１及び結合部材２５９により封印された状態が、それぞれ図示されている。なお、図２５は、図２０のＸＸＩ−ＸＸＩ線における断面図に対応する。また、図２５では、図面を簡素化して、理解を容易とするために、一部の構成にのみ符号を付して説明する。
【０１７６】
基板ユニット２２２０を開封した後に再封印する場合には、上述したように、基板ボックス２２２１を取付ベース２２２２に対してスライド移動して取り付けることで、第２凹部２２７１と取付側結合部２３０６とを対向する位置に配設する（図２５（ａ）の状態）。この状態で、第２凹部２２７１の内周面と、筒部材３３１に固着された第１凹部２２６１の外周面との内の一方または両方に接着剤を塗布し、第２凹部２２７１の第２挿入溝２７１ａに第１凹部２２６１の第１挿入突起２６１ｂが、第２凹部２２７１の第２連結受入部２７１ｂに第１凹部２２６１の外周面に残存した第１連結部２６２が、それぞれ挿入される位置で、第１凹部２２６１及び筒部材３３１を第２凹部２２７１に押し込む。
【０１７７】
この際、第１凹部２２６１の第１係止爪２２６７は、取付結合部２３０６の貫通孔４０４により押されて第１凹部２２６１の軸心方向に揺動する。第１凹部２２６１及び筒部材３３１が更に押し込まれて第１係止爪２２６７が取付側結合部２３０６の貫通孔４０４を通過すると、第１係止爪２２６７が第１揺動部２２６６により第１凹部２２６１の径方向外側に揺動され、取付結合部２３０６の上壁４０６に係止されると共に、第２凹部２２７１に第１凹部２２６１が固着される（図２５（ｂ）の状態）。
【０１７８】
なお、この場合、第１揺動部２２６６は、上述したように、結合部材２５９（筒部材３３１）の揺動部３４８と重なる位置に配置されるので、第１係止爪２２６７が取付側結合部２３０６の貫通孔４０４を通過する際には、第１揺動部２２６６を、揺動部３４８と共に、軸心方向へ揺動させることができる。
【０１７９】
第１凹部２２６１及び筒部材３３１を第２凹部２２７１に内嵌させた後は、上述した最初の封印の場合（図２３参照）と同様に、内挿側挿入突起３５４（図８参照）が第１切り欠き３４４（図８参照）に挿入される位置で、内挿部材３３２を筒部材３３１内に押し込む。この際、係止爪３５７（図８参照）は、筒部材３３１の内壁により押されて軸心方向に揺動する。内挿部材３３２が更に押し込まれて係止爪３５７が第２切り欠き３４５に達すると、係止爪３５７が揺動部３５６により内挿部材３３２の径方向外側に揺動され、係止爪３５７と第２切り欠き３４５とが係止される（図２５（ｃ）の状態）。
【０１８０】
この場合、結合部材２５９は、その筒側挿入突起３４３が第１凹部２２６１の第１挿入溝２６１ａに係合されると共に、第１凹部２２６１の第１挿入突起２６１ｂが第２凹部２２７１の第２挿入溝２７１ａに嵌合されることで、周方向への回転が規制されるので、第１凹部２２６１の第１係止爪２２６７が取付側結合部２３０６の切り欠き４０５に対応する位置まで回転することが規制され、第２凹部２２７１及び取付側結合部２３０６の結合が解除されることを防止できる。
【０１８１】
また、筒部材３３１内に内挿部材３３２が内挿されることで、筒部材３３１の揺動部３４８の軸心方向への揺動が規制されているので、これに伴って、第１凹部２２６１の第１揺動部２２６６の軸心方向への揺動も規制することができる。よって、第１係止爪２２６７が不正行為により軸心方向に揺動され、かかる第１係止爪２２６６と上壁４０６との係合が解除されることを抑制できる。その結果、第１凹部２２６１及び結合部材２５９が引き抜かれることを抑制できる。
【０１８２】
なお、この場合、基板ボックス２２２１と取付ベース２２２２との結合を解除するためには、ボックス蓋２２１２の本体部分と第２凹部２２７１とを連結する一対の第２連結部２７２をニッパなどの工具で切断（破壊）する。第２連結部２７２を切断すると、結合部材２５９は第１凹部２２６１及び第２凹部２２７１と共に周方向に回転可能となるので、これら結合部材２５９と第１凹部２２６１及び第２凹部２２７１とを一体の状態のままで９０度回転させ、第１係止爪２２６７を切り欠き４０５に対応する位置に移動させる。これにより、第２凹部２２７１とその第２凹部２２７１が固着（接着）された第１凹部２２６１及び結合部材２５９とを一体として取付側結合部２３０６から引き抜くことができる。これら第２凹部２２７１、第１凹部２２６１及び結合部材２５９が一体となった状態で引き抜かれると、基板ボックス２２２１と取付ベース２２２２との再封印が解除され、基板ボックス２２２１がスライド移動して取付ベース２２２２から取り外し可能になる。このように、基板ボックス２２２１を取付ベース２２２２から取り外す場合には、第２連結部２７２が切断により破壊されるので、ホール関係者などは、基板ボックス２２２１が取り外されたことを容易に確認することができる。
【０１８３】
次いで、図２６を参照して、再封印の解除に伴い回収された結合部材２５９を使用して、基板ボックス２２２１を封印する方法について説明する。図２６は、基板ユニット２２２０の部分断面図であり、基板ボックス２２２１が第１凹部２２６１、第２凹部２２７１及び結合部材２５９により封印された状態が図示されている。なお、図２６は、図２０のＸＸＩ−ＸＸＩ線における断面図に対応する。また、図２６では、図面を簡素化して、理解を容易とするために、一部の構成にのみ符号を付して説明する。
【０１８４】
基板ボックス２２２１（ボックスベース２２１１及びボックス蓋２２１２）を封印する場合には、ベース側返送用封印部２３１と蓋側返送用封印部２２５４（第３凹部２８１）とを、第１凹部２２６１及び第２凹部２２７１が外周側に固着された結合部材２５９により結合する。即ち、上述したように、基板ボックス２２２１と取付ベース２２２２との１回目の封印を解除することで、第１凹部２６１が外周側に固着された結合部材２５９が回収され（図２４参照）、基板ボックス２２２１と取付ベース２２２２との２回目の封印（再封印）を解除することで、第１凹部２２６１及び第２凹部２２７１が外周側に固着された結合部材２５９が回収される。
【０１８５】
この再封印の解除により回収され第１凹部２２６１及び第２凹部２２７１が外周側に固着された結合部材２５９は、上述したように、その結合部材２５９の挿入方向先端側に内挿部材３３２の係止爪３５７が露出しているので、係止爪３５７を軸心方向に押さえつつ筒部材３３１の第２切り欠き３４５との係止を解除することで、内挿部材３３２を筒部材３３１から引き抜く。
【０１８６】
基板ボックス２２２１を組み立てると、蓋側返送用封印部２２５４（第３凹部２２８１）とベース側返送用封印部２３１とが対向する位置に配設されるので、第２凹部２２７１の第２挿入突起２７１ｃが第３凹部２２８１の第３挿入溝２８１ａ（図２０及び図２１参照）に挿入される位置で、第１凹部２２６１及び第２凹部２２７１が外周側に固着された筒部材３３１を第３凹部２２８１へ押し込む。これにより、ベース側返送用封印部２３１の貫通孔を通過した第２凹部２２７１の第２係止爪２２７７が、ベース側返送用封印部２３１の上壁に係止される。
【０１８７】
なお、この場合、第２揺動部２２７６は、上述したように、第１凹部２２６１の第１背面筒部２２６４との間に隙間が設けられているので、第２揺動部２２７６を軸心方向へ揺動させることができる。更に、第２揺動部２２７６は、第１凹部２２６１の第１揺動部２２６６と重なる位置に配置されているので、第２係止爪２２７７がベース側返送用封印部２３１の貫通孔を通過する際には、第２揺動部２２７６を、第１揺動部２２６６及び揺動部３４８と共に、軸心方向へ揺動させることができる。
【０１８８】
第１凹部２２６１、第２凹部２２７１及び筒部材３３１を第３凹部２２８１に内嵌させた後は、上述した最初の封印あるいは再封印の場合と同様に、内挿側挿入突起３５４（図８参照）が第１切り欠き３４４（図８参照）に挿入される位置で、内挿部材３３２を筒部材３３１内に押し込む。これにより、筒部材３３１の係止爪３４９がベース側返送用封印部２３１の上壁に係止され、蓋側返送用封印部２２５４（第３凹部２２８１）とベース側返送用封印部２３１とが封印される。
【０１８９】
なお、蓋側返送用封印部２２５４は、結合部材２５９の係止爪３５５の係止解除および第２凹部２２７１の第２係止爪２２７７の係止解除を不能とするために密閉形状に形成されている。よって、結合部材２５９は、主基板２１３（図５参照）の修理などの為に基板ボックス２２２１をメーカーに送り返す場合に、基板ボックス２２２１を開封不能に封印することができるので、基板ボックス２２２１のメーカーへの返送途中に基板ボックス２２２１がバラバラになり部品などが紛失することを抑制できる。
【０１９０】
また、結合部材２５９は、再利用可能に構成されているが、基板ユニット２２２０において１つしか備えられていない。そして、メーカーへの返送時にも使用されてメーカーに返却されるので、結合部材２５９が市場に流通することを抑制することもできる。よって、結合部材２５９が市場に流通することで、例えば、２つの基板ボックスから１の基板ボックスを不正に製作する場合に結合部材２５９が使用されることを抑制することができる。
【０１９１】
また、各返送用封印部２３１，２２５４を介して結合部材２５９により封印された基板ボックス２２２１を開封する場合にも、第３連結部２８２をニッパなどの工具で切断しなければならないので、メーカーへの返送途中に基板ボックス２２２１が開封された場合にも痕跡が残り、基板ボックス２２２１の開封を発見することができる。
【０１９２】
特に、結合部材２５９には、第１凹部２２６１及び第２凹部２２７１が接着剤によって固着されているので、第１凹部２２６１及び第２凹部２２７１の除去を困難として、結合部材２５９に痕跡が残らずに回収することを防止することができる。
【０１９３】
次いで、図２７から図３８を参照して、第３実施の形態について説明する。第１実施の形態では、封印を行った回数が増加する毎に結合部材２５９に各凹部２６１，２７１が固着され、その外形が大きくなる場合を説明したが、第３実施の形態では、封印を行った回数が増加するごとに、結合部材３０００の一部が除去され、その外形が小さくされる。なお、上記各実施の形態と同一の部分については同一の符号を付して、その説明を省略する。
【０１９４】
まず、図２７から図２９を参照して、第３実施の形態における蓋側結合部３２５５について説明する。図２７は、ボックス蓋３２１２の部分拡大正面図であり、図２８は、図２７のＸＸＶＩＩＩ−ＸＸＶＩＩＩ線におけるボックス蓋３２１２の部分拡大断面図である。また、図２９（ａ）は、図２７のＸＸＩＸａ−ＸＸＩＸａ線におけるボックス蓋３２１２の部分拡大断面図であり、図２９（ｂ）は、図２７のＸＸＩＸｂ−ＸＸＩＸｂ線におけるボックス蓋３２１２の部分拡大断面図である。
【０１９５】
図２７から図２９に示すように、蓋側結合部３２５５は、結合部材３０００が挿入される第１凹部３２６１と、その第１凹部３２６１の外周側をボックス蓋３２１２の本体部分（側壁部２４５）に連結する一対の第１連結部３２６２と、第１筒部３１００を除去した結合部材３０００が挿入される第２凹部３２７１と、その第２凹部３２７１の外周側をボックス蓋３２１２の本体部分（側壁部２４５）に連結する一対の第２連結部３２７２とを主に備えて構成されている。
【０１９６】
第１凹部３２６１は、内周面および外周面が軸直断面視円形に形成される筒状体であり、上面側（図２７紙面手前側）が開放されると共に、底面側（図２７紙面奥側）に第１底壁３２６３が内方に張り出して形成されている。なお、第１凹部３２６１の内径は、結合部材３０００の第１筒部３１００（図３０参照）の外径よりも若干大きく形成されており、第１凹部３２６１の内周側に結合部材３０００の第１筒部３１００が内嵌可能かつ接着剤により固着可能に構成されている（図３３参照）。
【０１９７】
第１底壁３２６３には、正面視円形の第１貫通孔３２６３ａが貫通形成されると共に、その第１貫通孔３２６３ａの内縁から第１凹部３２６１の内周面に向けて一対の第１凹欠部３２６３ｂが凹欠されている。一対の第１凹欠部３２６３ｂは、結合部材３０００の第１係止爪３１０３を通過させるための部位であり、第１凹部３２６１の軸心を通過する仮想線（図２７左右方向）に沿って直線状に形成されている。
【０１９８】
一対の第１連結部３２６２は、第１凹欠部３２６３ｂに対して位相を９０度ずらした位置に形成されると共に、第１凹部３２６１の外周面に連結する箇所が他の箇所に比べて薄肉に形成されている（図２９参照）。第１凹部３２６１の内周面には、結合部材３０００の第１挿入突起３１０１（図３０参照）が挿入される一対の第１挿入溝３２６１ａが、一対の第１連結部３２６２に対して位相を９０度ずらした位置、即ち、第１凹欠部３２６３ｂと同位相となる位置において第１凹部３２６１の軸心方向に沿って凹設されている。
【０１９９】
第１挿入溝３２６１ａの延設長さ（第１凹部３２６１の軸心方向（図２８及び図２９上下方向）の長さ）は、第１挿入突起３１０１の高さ寸法（第１凹部３２６１の軸心方向（図２８及び図２９上下方向）の長さ）と同等か若干大きくされている。そして、第１凹部３２６１の深さ寸法（第１凹部３２６１の上側端面から底壁３２６３の上面までの寸法）は、結合部材３０００の第１筒部３１００の高さ寸法（第１筒部３１００の上側端面から下端面までの寸法、図３０（ｂ）参照）と同等か若干大きくされている。これにより、第１凹部３２６１へ結合部材３０００を内嵌した場合に、第１凹部３２６１の上側端面から結合部材３０００の上側端面が突出することを抑制することができる。その結果、結合部材３０００を引き抜かれ難くすることができる。
【０２００】
第２凹部３２７１は、内周面および外周面が軸直断面視円形に形成される筒状体であり、上面側（図２７紙面手前側）が開放されると共に、底面側（図２７紙面奥側）に第２底壁３２７３が内方に張り出して形成されている。なお、第２凹部３２７１の内径は、結合部材３０００の第２筒部３２００（図３０参照）の外径よりも若干大きく形成されており、第２凹部３２７１の内周側に結合部材３０００の第２筒部３２００が内嵌可能かつ接着剤により固着可能に構成されている（図３７参照）。
【０２０１】
第２底壁３２７３には、正面視円形の第２貫通孔３２７３ａが貫通形成されると共に、その第２貫通孔３２７３ａの内縁から第２凹部３２７１の内周面に向けて一対の第２凹欠部３２７３ｂが凹欠されている。一対の第２凹欠部３２７３ｂは、結合部材３０００の第２係止爪３２０３を通過させるための部位であり、第２凹部３２６１の軸心を通過する仮想線（図２７左右方向）に沿って直線状に形成されている。
【０２０２】
一対の第２連結部３２７２は、第２凹欠部３２７３ｂに対して位相を９０度ずらした位置に形成されると共に、第２凹部３２７１の外周面に連結する箇所が他の箇所に比べて薄肉に形成されている（図２９参照）。
【０２０３】
第２凹部３２７１の内周面には、結合部材３０００の第２挿入突起３２０１（図３０参照）が挿入される一対の第２挿入溝３２７１ａが、一対の第２連結部３２６２に対して位相を上面視反時計回りへ３０度ずらした位置において、第２凹部３２７１の軸心方向に沿って凹設されている。
【０２０４】
また、第２凹部３２７１の内周面には、結合部材３０００の一対の外側連結部３４００を切断して第１筒部３１００を除去した際に、第２筒部３２００の外周面に残存した外側連結部３４００を受け入れるための一対の第２連結受入部３２７１ｂが、一対の第２連結部３２７２に対して位相を上面視時計回りに６０度ずらした位置において、第２凹部３２７１の軸心方向に沿って凹設されている。第２連結受入部３２７１ｂは、第２凹部３２７１の内外周面側を連通させており、第２筒部３２００の外周面に残存した外側連結部３４００の長短によらず、かかる外側連結部３４００を第２連結受入部３２７１ｂ内に受け入れることができる。
【０２０５】
第２挿入溝３２７１ａの延設長さ（第２凹部３２７１の軸心方向（図２８及び図２９上下方向）の長さ）は、第２挿入突起３２０１の高さ寸法（第２凹部３２７１の軸心方向（図２８及び図２９上下方向）の長さ）と同等か若干大きくされている。そして、第２凹部３２７１の深さ寸法（第２凹部３２７１の上側端面から底壁３２７３の上面までの寸法）は、結合部材３０００の第２筒部３２００の高さ寸法（第２筒部３２００の上側端面から下端面までの寸法、図３１及び図３２参照）と同等か若干大きくされている。これにより、第２凹部３２７１へ結合部材３０００（第２筒部３２００）を内嵌した場合に、第２凹部３２７１の上側端面から結合部材３０００（第２筒部３２００）の上側端面が突出することを抑制することができる。その結果、結合部材３０００を引き抜かれ難くすることができる。
【０２０６】
蓋側返送用封印部３２５４は、結合部材３０００の第３筒部３３００が挿入される第３凹部３２８１と、その第３凹部３２８１の外周側をボックス蓋３２１２の本体部分（側壁部２４５）に連結する一対の第３連結部３２８２とを主に備えて構成されている。
【０２０７】
第３凹部３２８１は、内周面および外周面が軸直断面視円形に形成される筒状体であり、上面側（図２７紙面手前側）が開放されると共に、底面側（図２７紙面奥側）に第３底壁３２８３が内方に張り出して形成されている。なお、第３凹部３２８１の内径は、結合部材３０００の第３筒部３３００（図３０参照）の外径よりも若干大きく形成されており、第３凹部３２８１の内周側に結合部材３０００の第３筒部３３００が内嵌可能かつ接着剤により固着可能に構成されている（図３８参照）。
【０２０８】
第３底壁３２８３には、正面視円形の第３貫通孔３２８３ａが貫通形成されると共に、その第３貫通孔３２８３ａの内縁から第３凹部３２８１の内周面に向けて一対の第３凹欠部３２８３ｂが凹欠されている。一対の第３凹欠部３２８３ｂは、結合部材３０００の第３係止爪３３０３を通過させるための部位であり、第３凹部３２８１の軸心を通過する仮想線（図２７左右方向）に沿って直線状に形成されている。
【０２０９】
一対の第３連結部３２８２は、第３凹欠部３２８３ｂに対して位相を９０度ずらした位置に形成されると共に、第３凹部３２８１の外周面に連結する箇所が他の箇所に比べて薄肉に形成されている。
【０２１０】
第３凹部３２８１の内周面には、結合部材３０００の第３挿入突起３３０１（図３０参照）が挿入される一対の第３挿入溝３２８１ａが、一対の第３連結部３２８２に対して位相を上面視時計回りへ３０度ずらした位置において、第３凹部３２８１の軸心方向に沿って凹設されている。
【０２１１】
また、第３凹部３２８１の内周面には、結合部材３０００の一対の内側連結部３５００を切断して第２筒部３２００を除去した際に、第３筒部３３００の外周面に残存した内側連結部３５００を受け入れるための一対の第３連結受入部３２８１ｂが、一対の第３連結部３２８２に対して位相を上面視反時計回りに６０度ずらした位置において、第３凹部３２８１の軸心方向に沿って凹設されている。
第３連結受入部３２8１ｂは、第３凹部３２８１の内外周面側を連通させており、第３筒部３３００の外周面に残存した内側連結部３５００の長短によらず、かかる内側連結部３５００を第３連結受入部３２８１ｂ内に受け入れることができる。
【０２１２】
次いで、図３０から図３２を参照して、結合部材３０００について説明する。図３０（ａ）は結合部材３０００の上面図であり、図３０（ｂ）は図３０の矢印ＸＸＸｂ方向から視た結合部材３０００の側面図である。図３１（ａ）は図３０のＸＸＸＩａ−ＸＸＸＩａ線における結合部材３０００の断面図であり、図３１（ｂ）は図３０のＸＸＸＩｂ−ＸＸＸＩｂ線における結合部材３０００の断面図であり、図３２は図３０のＸＸＸＩＩ−ＸＸＸＩＩ線における結合部材３０００の断面図である。
【０２１３】
図３０から図３２に示すように、最外層に位置する第１筒部３１００と、その第１筒部３１００の内層側に位置する第２筒部３２００と、その第２筒部３２００の内層側に位置する第３筒部３３００と、第１筒部３１００の内周面および第２筒部３２００の外周面を連結する外側連結部３４００と、第２筒部３２００の内周面および第３筒部３３００の外周面を連結する内側連結部３５００とを主に備えて構成されている。
【０２１４】
第１筒部３１００は、内周面および外周面が軸直断面視円形に形成される筒状体であり、上面側（図３０（ｂ）上側）の外周面から一対の第１挿入突起３１０１が外方へ向けて突設されると共に、底面側（図３０（ｂ）下側）の端面から一対の第１揺動部３１０２が下方へ向けて延設されている。また、一対の第１揺動部３１０２には、その延設方向先端における外周面から第１係止爪３１０３が外方へ向けてそれぞれ突設されている。なお、第１筒部３１００の外径は、第１凹部３２６１の内径よりも若干小さく形成されており、第１凹部３２６１の内周側に第１筒部３１００が内嵌可能かつ接着剤により固着可能に構成されている（図３３参照）。
【０２１５】
第１挿入突起３１０１は、第１凹部３２６１の第１挿入溝３２６１ａに挿入される部位であり、第１筒部３１００の軸心方向（図３０（ｂ）上下方向）に沿って延設されると共に、上面視において第１筒部３１００の軸心を通過する仮想線（図３０（ａ）上下方向）上に形成されている。第１揺動部３１０２は、所定幅の短冊状に形成されており、第１筒部３１００の軸心に近接離間する方向へ揺動可能とされている。第１係止爪３１０３は、取付側結合部３０６の上壁４０６に係止される部位であり、第１揺動部３１０２に連接される面（係止面）が第１筒部３１００の軸心に直交しつつ外方へ張り出して形成されると共に、外周側の面が先端側（第１揺動部３１０２から離間する側、図３０（ｂ）下側）へ向かうほど第１筒部３１００の軸心へ近接するように傾斜する面（テーパ面）として形成されている。
【０２１６】
第２筒部３２００は、内周面および外周面が軸直断面視円形に形成される第１筒部３１００と同心の筒状体であり、上面側（図３１（ａ）上側）の外周面から一対の第２挿入突起３２０１が外方へ向けて突設されると共に、底面側（図３１（ｂ）下側）の端面から一対の第２揺動部３２０２が下方へ向けて延設されている。また、一対の第２揺動部３２０２には、その延設方向先端における外周面から第２係止爪３２０３が外方へ向けてそれぞれ突設されている。なお、第２筒部３２００の外径は、第２凹部３２７１の内径よりも若干小さく形成されており、第２凹部３２７１の内周側に第２筒部３２００が内嵌可能かつ接着剤により固着可能に構成されている（図３３参照）。
【０２１７】
第２挿入突起３２０１は、第２凹部３２７１の第２挿入溝３２７１ａに挿入される部位であり、第２筒部３２００の軸心方向（図３１（ａ）上下方向）に沿って延設されると共に、上面視において一対の第１挿入突起３１０１を結ぶ仮想線（図３０（ａ）上下方向）上に形成されている。
【０２１８】
第２揺動部３２０２は、所定幅の短冊状に形成されており、第２筒部３２００の軸心に近接離間する方向へ揺動可能とされている。第２係止爪３２０３は、取付側結合部３０６の上壁４０６に係止される部位であり、第２揺動部３２０２に連接される面（係止面）が第２筒部３２００の軸心に直交しつつ外方へ張り出して形成されると共に、外周側の面が先端側（第２揺動部３２０２から離間する側、図３１（ｂ）下側）へ向かうほど第２筒部３２００の軸心へ近接するように傾斜する面（テーパ面）として形成されている。
【０２１９】
なお、一対の第２係止爪３２０３は、一対の第２挿入突起３２０１に対して位相を上面視反時計回りに６０度ずらした位置に形成されている。よって、第２筒部３２００を第２凹部３２７１（図２７参照）へ挿入する場合には、第２係止爪３２０３が第２凹欠部３２７３ｂを通過する周方向位置で挿入作業を行うことで、第２挿入突起３２０１を第２挿入溝３２７１ａに容易に挿入することができる。
【０２２０】
第３筒部３３００は、外周面が軸直断面視円形に形成される第１筒部３１００と同心の柱状体であり、上面側（図３１（ａ）上側）の外周面から一対の第３挿入突起３３０１が外方へ向けて突設されると共に、底面側（図３２下側）の端面から一対の第３揺動部３３０２が下方へ向けて延設されている。また、一対の第３揺動部３３０２には、その延設方向先端における外周面から第３係止爪３３０３が外方へ向けてそれぞれ突設されている。なお、第３筒部３３００の外径は、第３凹部３２８１の内径よりも若干小さく形成されており、第３凹部３２８１の内周側に第３筒部３３００が内嵌可能かつ接着剤により固着可能に構成されている（図３３参照）。
【０２２１】
第３挿入突起３３０１は、第３凹部３２８１の第３挿入溝３２８１ａに挿入される部位であり、第３筒部３３００の軸心方向（図３１（ａ）上下方向）に沿って延設されると共に、上面視において一対の第１挿入突起３１０１を結ぶ仮想線（図３０（ａ）上下方向）上に形成されている。即ち、第１から第３挿入突起３１０１〜３３０１が一直線上に配置されている。
【０２２２】
第３揺動部３３０２は、所定幅の短冊状に形成されており、第３筒部３３００の軸心に近接離間する方向へ揺動可能とされている。第３係止爪３３０３は、取付側結合部３０６の上壁４０６に係止される部位であり、第３揺動部３３０２に連接される面（係止面）が第３筒部３３００の軸心に直交しつつ外方へ張り出して形成されると共に、外周側の面が先端側（第３揺動部３３０２から離間する側、図２下側）へ向かうほど第３筒部３３００の軸心へ近接するように傾斜する面（テーパ面）として形成されている。
【０２２３】
なお、一対の第３係止爪３３０３は、一対の第３挿入突起３２０１に対して位相を上面視時計回りに３０度ずらした位置に形成されている。よって、第３筒部３３００を第３凹部３２８１（図２７参照）へ挿入する場合には、第３係止爪３３０３が第３凹欠部３２８３ｂを通過する周方向位置で挿入作業を行うことで、第３挿入突起３３０１を第３挿入溝３２８１ａに容易に挿入することができる。
【０２２４】
次いで、図３３を参照して、結合部材３０００により基板ボックス３２２１と取付ベース３２２２とを結合して封印する方法について説明する。図３３は、基板ユニット３２２０の部分断面図である。なお、図３３は、図２７のＸＸＶＩＩＩ−ＸＸＶＩＩＩ線における断面図に対応する。また、図３３では、図面を簡素化して、理解を容易とするために、一部の構成にのみ符号を付して説明する。
【０２２５】
上述したように、基板ボックス３２２１が取付ベース３２２２に対してスライド移動して取り付けられると、蓋側結合部３２５５（第１凹部３２６１）と取付側結合部３０６とが対向する位置に配設される（図３３の状態）。この状態で、第１凹部３２６１の内周面と結合部材３０００の第１筒部３１００の外周面との内の一方または両方に接着剤を塗布し、第１挿入突起３１０１が第１凹部３２６１の第１挿入溝３２６１ａに挿入される位置で、結合部材３０００を第１凹部３２６１へ押し込む。この際、第１係止爪３１０３は、第１凹部３２６１の内周面により押されて軸心方向に揺動する。結合部材３０００が更に押し込まれて第１係止爪３１０３が取付側結合部３０６の貫通孔４０４を通過すると、第１係止爪３１０３が第１揺動部３１０２により係合部材３０００の径方向外側に揺動され、取付結合部３０６の上壁４０６に係止されると共に、第１凹部３２６１に結合部材３０００の第１筒部３１００が固着される。
【０２２６】
この場合、結合部材３０００は、第１挿入溝３２６１ａと第１挿入突起３１０１との係合により、周方向への回転が規制されるので、第１筒部３１００の第１係止爪３１０３が取付側結合部３０６の切り欠き４０５に対応する位置まで回転することが規制され、第１凹部３２６１及び取付側結合部３０６の結合が解除されることを防止できる。
【０２２７】
次いで、図３４を参照して、結合部材３０００の結合により封印された基板ボックス３２２１及び取付ベース３２２２の封印の解除方法について説明する。図３４（ａ）は、基板ユニット３２２０の部分拡大正面図であり、図３４（ｂ）は取付側結合部３０６の上壁４０６の部分拡大背面図である。なお、図３４（ａ）及び図３４（ｂ）では、第１連結部３２６２が切断され、結合部材３０００が周方向に９０度だけ回転された状態が図示されている。
【０２２８】
結合部材３００0により第１凹部３２６１及び取付側結合部３０６が結合された状態から、基板ボックス３２２１及び取付ベース３２２２の封印を解除するためには、ボックス蓋３２１２の本体部分と第１凹部３２６１とを連結する一対の第１連結部３２６２をニッパなどの工具で切断（破壊）する。第１連結部３２６２を切断すると、結合部材３０００は第１凹部３２６１と共に周方向に回転可能となるので、これら結合部材３０００と第１凹部３２６１とを一体の状態のままで９０度回転させ、第１係止爪３１０３を切り欠き４０５に対応する位置に移動させる（図３４（ａ）及び図３４（ｂ）の状態）。これにより、第１凹部３２６１とその第１凹部３２６１が固着（接着）された結合部材３０００とを一体として取付側結合部３０６から引き抜くことができる。これら第１凹部３２６１及び結合部材３０００が引き抜かれると、基板ボックス３２２１と取付ベース３２２２との封印が解除され、基板ボックス３２２１がスライド移動して取付ベース３２２２から取り外し可能になる。このように、基板ボックス３２２１を取付ベース３２２２から取り外す場合には、第１連結部３２６２が切断により破壊されるので、ホール関係者などは、基板ボックス３２２１が取り外されたことを容易に確認することができる。
【０２２９】
次いで、図３５から図３７を参照して、封印の解除に伴い回収された結合部材３０００を使用して、第２凹部３２７１及び取付側結合部３０６を結合することで、基板ボックス３２２１と取付ベース３２２２とを再封印する方法について説明する。図３５（ａ）及び図３５（ｂ）は回収された結合部材３０００の上面図であり、図３６は図３５の矢印ＸＸＸＶＩ視における結合部材３０００の側面図である。図３７は、基板ユニット３２２０の部分断面図である。なお、図３７は、図２７のＸＸＶＩＩＩ−ＸＸＶＩＩＩ線における断面図に対応する。また、図３７では、図面を簡素化して、理解を容易とするために、一部の構成にのみ符号を付して説明する。
【０２３０】
図３５及び図３６に示すように、封印の解除に伴い結合部材３０００を第１凹部３２６１と共に回収した後は、一対の外側連結部３４００をニッパなどの工具で切断することで、結合部材３０００を、結合部材３０００から除去される部分（即ち、図３５（ａ）に示す第１凹部３２６１及び第１筒部３１００により主に構成される部分）と、再封印に使用する部材としての結合部材３０００（即ち、図３５（ｂ）及び図３６に示す第２筒部３２００及び第３筒部３３００により主に構成される結合部材３０００）とに分離する。
【０２３１】
なお、この再封印に使用する部材としての結合部材３０００（即ち、図３５（ｂ）及び図３６に示す部材）の取得方法は、上述したように、一対の第１連結部３２６２を切断して、結合部材３０００を第１凹部３２６１と共にボックス蓋３２１２から取り外した後（図３４参照）、その取り外した部材から第１凹部３２６１及び第１筒部３１００（図３５（ａ）に示す部分）を除去する順序に限られるものではない。
【０２３２】
例えば、一対の第１連結部３２６２を切断せず（即ち、第１筒部３２６１がボックス蓋３２１２に連結されたままの状態で）、先に、一対の外側連結部３４００を切断して、第１凹部３２６１に第１筒部３１００を残しつつ、再封印に使用する部材としての結合部材３０００（即ち、図３５（ｂ）及び図３６に示す第２筒部３２００及び第３筒部３３００により主に構成される結合部材３０００）を取得し、その後、第１連結部３２６２を切断して、封印を解除する順序であっても良い。
【０２３３】
再封印に使用する結合部材３０００を取得した後は、基板ボックス３２２１を取付ベース３２２２に対してスライド移動して取り付け、第２凹部３２７１と取付側結合部３０６とを互いに対向する位置に配設する（図３７の状態）。
【０２３４】
この状態で、第２凹部３２７１の内周面と結合部材３０００の第２筒部３２００の外周面との内の一方または両方に接着剤を塗布し、第２凹部３２７１の第２挿入溝３２７１ａに第２筒部３２００の第２挿入突起３２０１が、第２凹部３２７１の第２連結受入部３２７１ｂに第２筒部３２００の外周面に残存した外側連結部３４００が、それぞれ挿入される位置で（図２７から図２９参照）、結合部材３０００（図３６参照）を第２凹部３２７１に押し込む。
【０２３５】
この際、第２筒部３２００の第２係止爪３２０３は、第２凹部３２７１の内周面により押されて軸心方向に揺動する。結合部材３０００が更に押し込まれて第２係止爪３２０３が取付側結合部３０６の貫通孔４０４を通過すると、第２係止爪３２０３が第２揺動部３２０２により第２筒部３２００の径方向外側に揺動され、取付結合部３０６の上壁４０６に係止されると共に、第２凹部３２７１に結合部材３０００の第２筒部３２００が固着される（図３７の状態）。
【０２３６】
この場合、結合部材３０００は、第２筒部３２００の第２挿入突起３２０１が第２凹部３２６１の第２挿入溝３２７１ａに係合されると共に、第２筒部３２００の外周面に残存した外側連結部３４００が第２凹部３２７１の第２連結受入部３２７１ｂに係合されることで、周方向への回転が規制されるので、第２筒部３２００の第２係止爪３２０３が取付側結合部３０６の切り欠き４０５に対応する位置まで回転することが規制され、第２凹部３２７１及び取付側結合部３０６の結合が解除されることを防止できる。
【０２３７】
なお、この場合、基板ボックス３２２１と取付ベース３２２２との結合を解除するためには、ボックス蓋３２１２の本体部分と第２凹部３２７１とを連結する一対の第２連結部３２７２をニッパなどの工具で切断（破壊）する。第２連結部３２７２を切断すると、結合部材３０００は第２凹部３２７１と共に周方向に回転可能となるので、これら結合部材３０００と第２凹部３２７１とを一体の状態のままで９０度回転させ、第２係止爪３２０３を切り欠き４０５に対応する位置に移動させる。これにより、第２凹部３２７１が固着（接着）された結合部材３０００を一体として取付側結合部３０６から引き抜くことができる。これら第２凹部３２７１及び結合部材３０００が一体となった状態で引き抜かれると、基板ボックス３２２１と取付ベース３２２２との再封印が解除され、基板ボックス３２２１がスライド移動して取付ベース３２２２から取り外し可能になる。このように、基板ボックス３２２１を取付ベース３２２２から取り外す場合には、第２連結部３２７２が切断により破壊されるので、ホール関係者などは、基板ボックス３２２１が取り外されたことを容易に確認することができる。
【０２３８】
次いで、図３８を参照して、再封印の解除に伴い回収された結合部材３０００を使用して、基板ボックス３２２１を封印する方法について説明する。図３８は、基板ユニット３２２０の部分断面図であり、基板ボックス３２２１が結合部材３０００（第３筒部３３００）により封印された状態が図示されている。なお、図３８は、図２７のＸＸＶＩＩＩ−ＸＸＶＩＩＩ線における断面図に対応する。また、図３８では、図面を簡素化して、理解を容易とするために、一部の構成にのみ符号を付して説明する。
【０２３９】
基板ボックス３２２１（ボックスベース３２１１及びボックス蓋３２１２）を封印する場合には、ベース側返送用封印部２３１と第３凹部３２８１とを、結合部材３０００により結合する。即ち、上述したように、基板ボックス３２２１と取付ベース３２２２との１回目の封印の解除に伴い、第１筒部３１００の除去された結合部材３０００が回収され（図３６参照）、基板ボックス３２２１と取付ベース３２２２との２回目の封印（再封印）の解除に伴い、第１筒部３１００及び第２筒部３２００の除去された結合部材３０００（第３筒部３３００）が回収される。
【０２４０】
基板ボックス３２２１を組み立てると、第３凹部３２８１とベース側返送用封印部２３１とが対向する位置に配設されるので、第３凹部３２８１の内周面と結合部材３０００の第３筒部３３００の外周面との内の一方または両方に接着剤を塗布し、第３凹部３２８１の第３挿入溝３２８１ａに第３筒部３３００の第３挿入突起３３０１が、第３凹部３２８１の第３連結受入部３２８１ｂに第３筒部３３００の外周面に残存した内側連結部３５００が、それぞれ挿入される位置で（図２７から図２９参照）、結合部材３０００（第３筒部３３００）を第３凹部３２８１に押し込む。これにより、第３筒部３３００の第３係止爪３３０３がベース側返送用封印部２３１の上壁に係止され、第３凹部３２８１とベース側返送用封印部２３１とが封印される。
【０２４１】
この場合、第３筒部３３００の第３係止爪３３０３は、その係止解除を不能とするために、箱状に形成された壁部に囲まれて密閉されている。よって、結合部材３０００は、主基板２１３（図５参照）の修理などの為に基板ボックス３２２１をメーカーに送り返す場合に、基板ボックス３２２１を開封不能に封印することができるので、基板ボックス３２２１のメーカーへの返送途中に基板ボックス３２２１がバラバラになり部品などが紛失することを抑制できる。
【０２４２】
また、結合部材３０００は、再利用可能に構成されているが、基板ユニット３２２０において１つしか備えられていない。そして、メーカーへの返送時にも使用されてメーカーに返却されるので、結合部材３０００が市場に流通することを抑制することもできる。よって、結合部材３２５９が市場に流通することで、例えば、２つの基板ボックスから１の基板ボックスを不正に製作する場合に結合部材３０００が使用されることを抑制することができる。
【０２４３】
また、各返送用封印部２３１，３２５４を介して結合部材３０００により封印された基板ボックス３２２１を開封する場合にも、第３連結部３２８２をニッパなどの工具で切断しなければならないので、メーカーへの返送途中に基板ボックス３２２１が開封された場合にも痕跡が残り、基板ボックス３２２１の開封を発見することができる。
【０２４４】
特に、結合部材３０００には、第３筒部３３００及び第３凹部３２８１が接着剤によって固着されているので、第３凹部３２８１の除去を困難として、結合部材３０００に痕跡が残らずに回収することを防止することができる。
【０２４５】
次いで、図３９から図４７を参照して、第４実施の形態について説明する。第１実施の形態では、封印を行った回数が増加する毎に結合部材２５９に各凹部２６１，２７１が固着され、その外形が大きくなる場合を説明したが、第４実施の形態では、封印を行った回数が増加するごとに、結合部材４０００の一部が除去され、その外形が小さくされる。なお、第３実施の形態では、結合部材３０００に複数の係止爪（第１〜第３係止爪３１０３〜３３０３）が形成されたが、第４実施の形態では、１の係止爪が複数回の封印で共通して使用される。また、上記各実施の形態と同一の部分については同一の符号を付して、その説明を省略する。
【０２４６】
まず、図３９及び図４０を参照して、第４実施の形態における蓋側結合部４２５５について説明する。図３９は、ボックス蓋４２１２の部分拡大正面図であり、図４０は、図３９のＸＸＸＸ−ＸＸＸＸ線におけるボックス蓋４２１２の部分拡大断面図である。
【０２４７】
図３９及び図４０に示すように、蓋側結合部４２５５は、結合部材４０００が挿入される第１凹部４２６１と、その第１凹部４２６１の外周側をボックス蓋４２１２の本体部分（側壁部２４５）に連結する一対の第１連結部４２６２と、第１筒部４１００を除去した結合部材４０００が挿入される第２凹部４２７１と、その第２凹部４２７１の外周側をボックス蓋４２１２の本体部分（側壁部２４５）に連結する一対の第２連結部４２７２とを主に備えて構成されている。
【０２４８】
第１凹部４２６１は、内周面および外周面が軸直断面視円形に形成される筒状体であり、上面側（図３９紙面手前側）が開放されると共に、底面側（図３９紙面奥側）に第１底壁４２６３が内方に張り出して形成されている。第１底壁４２６３には、正面視円形の第１貫通孔４２６３ａが貫通形成されており、結合部材４０００の第３筒部４３００（図４４参照）が貫挿可能とされている。
【０２４９】
一対の第１連結部４２６２は、第１凹部４２６１の軸心を通過する仮想線（図３９上下方向）に沿って直線状に形成されている。なお、本実施の形態では、第１連結部４２６２の第１凹部４２６１の外周面への連結位置が、第１凹部４２６１の上側端面（上面）に対して底面側（図３９紙面奥側）へ所定距離だけ離間した位置とされている。これにより、第１連結部４２６２が第１筒部４１００の第１張出部４１０１に干渉することを回避して、第１凹部４２６１の上面側を第１筒部４１００の第１嵌合溝４１０２に確実に嵌合させることができる（図４４参照）。第１凹部４２６１の上面側には、一対の第１挿入溝４２６１ａが、一対の第１連結部４２６２に対向する位置において第１凹部４２６１の軸心方向へ凹設されている。第１挿入溝４２６１ａは第１凹部４２６１の内外周面側を連通させており、結合部材４０００の第１挿入突起４１０３（図４３参照）が挿入可能とされている。第１挿入溝４２６１ａに第１挿入突起４１０３が挿入されることで、結合部材４０００の周方向位置が位置決めされる。
【０２５０】
なお、第１凹部４２６１の内径は、結合部材４０００の第１筒部４１００の外径よりも若干大きく形成されており、第１凹部４２６１の内周側に第１筒部４１００が内嵌可能かつ接着剤により固着可能に構成されている（図４３参照）。
【０２５１】
第２凹部４２７１は、内周面および外周面が軸直断面視円形に形成される筒状体であり、上面側（図３９紙面手前側）が開放されると共に、底面側（図３９紙面奥側）に第２底壁４２７３が内方に張り出して形成されている。第２底壁４２７３には、正面視円形の第２貫通孔４２７３ａが貫通形成されており、結合部材４０００の第３筒部４３００（図４４参照）が貫挿可能とされている。
【０２５２】
一対の第２連結部４２７２は、第２凹部４２７１の軸心を通過する仮想線（図３９上下方向）に沿って直線状に形成されている。なお、本実施の形態では、第２連結部４２７２の第２凹部４２７１の外周面への連結位置が、第２凹部４２７１の上側端面（上面）に対して底面側（図３９紙面奥側）へ所定距離だけ離間した位置とされている。これにより、第２連結部４２７２が第２筒部４２００の第２張出部４２０１に干渉することを回避して、第２凹部４２７１の上面側を第２筒部４２００の第２嵌合溝４２０２に確実に嵌合させることができる（図４４参照）。第２凹部４２７１の上面側には、一対の第２挿入溝４２７１ａが、一対の第２連結部４２７２に対向する位置において第２凹部４２７１の軸心方向へ凹設されている。第２挿入溝４２７１ａは第２凹部４２７１の内外周面側を連通させており、結合部材４０００の第２挿入突起４２０３（図４３参照）が挿入可能とされている。第２挿入溝４２７１ａに第２挿入突起４２０３が挿入されることで、結合部材４０００の周方向位置が位置決めされる。
【０２５３】
なお、第２凹部４２７１の内径は、結合部材４０００の第２筒部４２００の外径よりも若干大きく形成されており、第２凹部４２７１の内周側に第２筒部４２００が内嵌可能かつ接着剤により固着可能に構成されている（図４６参照）。
【０２５４】
蓋側返送用封印部４２５４は、結合部材４０００の第３筒部４３００が挿入される第３凹部４２８１と、その第３凹部４２８１の外周側をボックス蓋４２１２の本体部分（側壁部２４５）に連結する一対の第３連結部４２８２とを主に備えて構成されている。
【０２５５】
第３凹部４２８１は、内周面および外周面が軸直断面視円形に形成される筒状体であり、上面側（図３９紙面手前側）が開放されると共に、底面側（図３９紙面奥側）に第３底壁４２８３が内方に張り出して形成されている。第３底壁４２８３には、正面視円形の第３貫通孔４２８３ａが貫通形成されると共に、その第３貫通孔４２８３ａの内縁から第３凹部４２８１の内周面に向けて一対の第３凹欠部４２７３ｂが凹欠されている。一対の第３凹欠部４２７３ｂは、結合部材４０００の第３係止爪４３０３を通過させるための部位であり、第３凹部４２７１の軸心を通過する仮想線（図３９左右方向）に沿って直線状に形成されている。
【０２５６】
一対の第３連結部４２８２は、第３凹欠部４２８３ｂに対して位相を９０度ずらした位置に形成されている。なお、本実施の形態では、第３連結部４２８２の第３凹部４２８１の外周面への連結位置が、第３凹部４２８１の上面側とされており、第３連結部４２８２の上面と第３凹部４２８１の上面とが面一状の形成されている。
【０２５７】
第３凹部４２８１の内周面には、一対の第３挿入溝４２８１ａが、一対の第３連結部４２８２に対向する位置に凹設されると共に、これらと位相を９０度ずらした位置に第３受入部４２８１ｂが凹設されている。第３挿入溝４２８１ａには、結合部材４０００の第３挿入突起４３０１（図４２参照）が挿入されると共に、第３受入部４２８１ｂには、一対の内側連結部４５００を切断して第２筒部４２００を第３筒部４３００から取り外した際に、第３筒部４３００の外周面に残存した内側連結部４５００を受け入れられ、これにより、結合部材４０００（第３筒部４３００）の周方向位置が位置決めされる（図４７参照）。
【０２５８】
なお、第３凹部４２８１の内径は、結合部材４０００の第３筒部４３００の外径よりも若干大きく形成されており、第３凹部４２８１の内周側に第３筒部４３００が内嵌可能かつ接着剤により固着可能に構成されている（図４７参照）。
【０２５９】
次いで、図４１を参照して、取付結合部４３０６について説明する。図４１は、揺動ベース４２８２の部分拡大正面図である。取付結合部４３０６は、結合部材４０００が挿入されるように内部が空洞の箱状体として形成されており、その箱状体の正面側（図４１紙面手前側）を構成する上壁４４０６に貫通孔４４０４が穿設されると共に、その貫通孔４４０４の内縁の一部に切り欠き４４０５が切り欠き形成されている。貫通孔４４０４は、結合部材４０００の第３係止爪４３０３が貫挿される開口であり、正面視略円形に形成されている。切り欠き４４０５は、結合部材４０００を取り外す際に第３係止爪４３０３を通過させるための部位であり、第３係止爪４３０３よりも大きな外形を有している。なお、切り欠き４４０５は、結合部材４０００が取付側結合部４３０６に結合された状態で、その第３係止爪４３０３に対して周方向に９０度ずれた位置（即ち、第３係止爪４３０３から最も離間した位置）に設けられており、結合部材４０００の取り外しを困難としている。
【０２６０】
次いで、図４２及び図４３を参照して、結合部材４０００について説明する。図４２（ａ）は結合部材４０００の上面図であり、図４２（ｂ）は図４２（ａ）の矢印Ｂ方向から視た結合部材４０００の側面図である。図４３（ａ）は図４２（ａ）のＡａ−Ａａ線における結合部材４０００の断面図であり、図４３（ｂ）は図４２（ａ）のＡｂ−Ａｂ線における結合部材４０００の断面図である。
【０２６１】
図４２及び図４３に示すように、最外層に位置する第１筒部４１００と、その第１筒部４１００の内層側に位置する第２筒部４２００と、その第２筒部４２００の内層側に位置する第３筒部４３００と、第１筒部４１００の内周面および第２筒部４２００の外周面を連結する外側連結部４４００と、第２筒部４２００の内周面および第３筒部４３００の外周面を連結する内側連結部４５００と、第３筒部４３００の上面から立設される回転操作子４６００とを主に備えて構成されている。
【０２６２】
第１筒部４１００は、内周面および外周面が軸直断面視円形に形成される筒状体であり、上面側（図４３（ａ）及び図４３（ｂ）上側）の外周面から第１張出部４１０１が径方向外方へ張り出して形成されると共に、その第１張出部４１０１の底面側（図４３（ａ）及び図４３（ｂ）下側）に底面視円環状の第１嵌合溝４１０２が凹設されている。
【０２６３】
第１嵌合溝４１０２は、第１凹部４２６１の上面側の端部が嵌合される溝であり（図４４参照）、その第１嵌合溝４１０２の周方向２箇所（一対の外側連結部４４００を結ぶ仮想線上の２箇所）には第１挿入突起４１０３が形成され、凹設された溝が埋められている。これら一対の第１挿入突起４１０３が第１凹部４２６１の第１挿入溝４２６１ａに挿入されることで、結合部材４０００が周方向に位置決めされる。なお、各第１挿入突起４１０３は、結合部材４０００の上面視において、一対の外側連結部４４００及び一対の内側連結部４５００を結ぶ仮想線上に形成されている。
【０２６４】
ここで、第１筒部４１００は、第１挿入突起４１０３の高さ寸法（図４３（ｂ）上下方向寸法、即ち、第１張出部４１０１の底面（図４３（ｂ）下側面）から第１嵌合溝４１０２の底面（図４３（ａ）上側面）までの第１嵌合溝４１０２の凹設深さ）が、第１凹部４２６１の上面からの第１挿入溝４２６１ａの深さ寸法（図４０上下方向寸法）よりも若干小さくされている。そして、第１筒部４１００の底面から第１嵌合溝４１０２の底面までの高さ寸法（図４３上下寸法）は、第１凹部４２６１の深さ寸法（第１凹部４２６１の上側端面（上面）から底壁４２６３の上面までの寸法）よりも若干小さくされている。これにより、第１凹部４２６１へ結合部材４０００（第１筒部４１００）を内嵌した場合には（図４４参照）、第１凹部４２６１の上側端面（上面、図４０上側面）を第１筒部４１００の第１嵌合溝４１０２の底面に当接させることができる。よって、第１筒部４１００の上面に超音波溶着機を当接させて超音波溶着を行うことで、第１凹部４２６１の上側端面と第１嵌合溝４１０２の底面との合わせ面を溶着して、第１凹部４２６１に結合部座４０００（第１筒部４１００）を固着することができる。
【０２６５】
第２筒部４２００は、内周面および外周面が軸直断面視円形に形成される第１筒部４１００と同心の筒状体であり、上面側（図４３（ａ）及び図４３（ｂ）上側）の外周面から第２張出部４２０１が径方向外方へ張り出して形成されると共に、その第２張出部４２０１の底面側（図４３（ａ）及び図４３（ｂ）下側）に底面視円環状の第２嵌合溝４２０２が凹設されている。
【０２６６】
第２嵌合溝４２０２は、第２凹部４２７１の上面側の端部が嵌合される溝であり（図４６参照）、その第２嵌合溝４２０２の周方向２箇所（一対の外側連結部４４００を結ぶ仮想線上の２箇所）には第２挿入突起４２０３が形成され、凹設された溝が埋められている。これら一対の第２挿入突起４２０３が第２凹部４２７１の第２挿入溝４２７１ａに挿入されることで、結合部材４０００（第２筒部４２００）が周方向に位置決めされる。なお、各第２挿入突起４２０３は、結合部材４０００の上面視において、一対の外側連結部４４００及び一対の内側連結部４５００を結ぶ仮想線上に形成されている。
【０２６７】
ここで、第２筒部４２００は、第２挿入突起４２０３の高さ寸法（図４３（ｂ）上下方向寸法、即ち、第２張出部４２０１の底面（図４３（ｂ）下側面）から第２嵌合溝４２０２の底面（図４３（ａ）上側面）までの第２嵌合溝４２０２の凹設深さ）が、第２凹部４２７１の上面からの第２挿入溝４２７１ａの深さ寸法（図４０上下方向寸法）よりも若干小さくされている。そして、第２筒部４２００の底面から第２嵌合溝４２０２の底面までの高さ寸法（図４３上下寸法）は、第２凹部４２７１の深さ寸法（第２凹部４２７１の上側端面（上面）から底壁４２７３の上面までの寸法）よりも若干小さくされている。これにより、第２凹部４２７１へ結合部材４０００（第２筒部４２００）を内嵌した場合には（図４６参照）、第２凹部４２７１の上側端面（上面、図４０上側面）を第２筒部４２００の第２嵌合溝４２０２の底面に当接させることができる。よって、第２筒部４２００の第２張出部４２０１の上面から超音波溶着機を使用することで、第２凹部４２７１の上側端面と第２嵌合溝４２０２の底面とを超音波溶着して、第２凹部４２７１に結合部座４０００（第２筒部４２００）を固着することができる。
【０２６８】
第３筒部４３００は、外周面が軸直断面視円形に形成される第１筒部４１００と同心の柱状体であり、上面側（図４３（ａ）上側）の外周面から一対の第３挿入突起４３０１が外方へ向けて突設されると共に、底面側（図４３（ａ）及び図４３（ｂ）下側）の端面から一対の第３揺動部４３０２が下方へ向けて延設されている。また、一対の第３揺動部４３０２には、その延設方向先端における外周面から第３係止爪４３０３が外方へ向けてそれぞれ突設されている。なお、第３筒部４３００の外径は、第３凹部４３２８１の内径よりも若干小さく形成されており、第３凹部４２８１の内周側に第３筒部４３００が内嵌可能かつ接着剤により固着可能に構成されている（図４７参照）。
【０２６９】
第３挿入突起４３０１は、第３凹部４２８１の第３挿入溝４２８１ａに挿入される部位であり、上面視において一対の外側連結部４４００及び一対の内側連結部４５００を結ぶ仮想線（図４２（ａ）上下方向）から位相を９０度ずらした位置に形成されている。
【０２７０】
第３揺動部４３０２は、所定幅の短冊状に形成されており、第３筒部４３００の軸心に近接離間する方向へ揺動可能とされている。第３係止爪４３０３は、取付側結合部４３０６の上壁４４０６に係止される部位であり、第３揺動部４３０２に連接される面（係止面）が第３筒部４３００の軸心に直交しつつ外方へ張り出して形成されると共に、外周側の面が先端側（第３揺動部４３０２から離間する側、図４３（ｂ）下側）へ向かうほど第３筒部４３００の軸心へ近接するように傾斜する面（テーパ面）として形成されている。
【０２７１】
なお、一対の第３揺動部４３０２及び一対の第３係止爪３３０３は、結合部材４０００の上面視において、一対の外側連結部４４００及び一対の内側連結部４５００を結ぶ仮想線（図４２（ａ）上下方向）上に位置して形成されている。
【０２７２】
回転操作子４６００は、断面長放形状の柱状体として形成されているので、かかる回転操作子４６００を把持して回転操作することで、結合部材４０００を容易に回転操作することができる。
【０２７３】
次いで、図４４を参照して、結合部材４０００により基板ボックス４２２１と取付ベース３２２２とを結合して封印する方法について説明する。図４４は、基板ユニット４２２０の部分断面図である。なお、図４４は、図３９のＸＸＸＸ−ＸＸＸＸ線における断面図に対応する。また、図４４では、図面を簡素化して、理解を容易とするために、一部の構成にのみ符号を付して説明する。
【０２７４】
上述したように、基板ボックス４２２１が取付ベース４２２２に対してスライド移動して取り付けられると、蓋側結合部４２５５（第１凹部４２６１）と取付側結合部４３０６とが対向する位置に配設される（図４４の状態）。この状態で、第１凹部４２６１の内周面と結合部材４０００の第１筒部４１００の外周面との内の一方または両方に接着剤を塗布し、第１挿入突起４１０１が第１凹部４２６１の第１挿入溝４２６１ａに挿入される位置で、結合部材４０００を第１凹部４２６１へ押し込む。第３係止爪４３０３が取付側結合部４３０６の貫通孔４４０４を通過すると、第３係止爪４３０３が第３揺動部４３０２により係合部材４０００の径方向外側に揺動され、取付結合部４３０６の上壁４０６に係止されると共に、第１凹部４２６１に結合部材４０００が固着される。
【０２７５】
この場合、結合部材４０００は、第１挿入溝４２６１ａと第１挿入突起４１０３との係合により、周方向への回転が規制されるので、第３筒部４３００の第３係止爪４３０３が取付側結合部４３０６の切り欠き４４０５に対応する位置まで回転することが規制され、第１凹部４２６１及び取付側結合部４３０６の結合が解除されることを防止できる。
【０２７６】
なお、第１凹部４２６１と結合部材４０００の第１筒部４１００との固着は、上述した接着剤に加え、或いは、接着剤に代えて、超音波溶着を用いても良い。即ち、第１筒部４１００の上面に当接された超音波溶着機により、第１凹部４２６１の上側端面と第１嵌合溝４１０２の底面との合わせ面を溶着することで、第１凹部４２６１に結合部座４０００（第１筒部４１００）を固着しても良い。
【０２７７】
次いで、図４５及び図４６を参照して、封印の解除に伴い回収された結合部材４０００を使用して、第２凹部４２７１及び取付側結合部４３０６を結合することで、基板ボックス４２２１と取付ベース４２２２とを再封印する方法について説明する。図４５及び図４６は、基板ユニット４２２０の部分断面図であり、図４５では第１筒部４１００が結合部材４０００から切り離された状態が図示されている。なお、図４５及び図４６は、図３９のＸＸＸＸ−ＸＸＸＸ線における断面図に対応する。また、図４５及び図４６では、図面を簡素化して、理解を容易とするために、一部の構成にのみ符号を付して説明する。
【０２７８】
結合部材４０００により第１凹部4２６１及び取付側結合部4３０６が結合された状態から、基板ボックス４２２１及び取付ベース４２２２の封印を解除するためには、第１筒部４１００の内周側と第２筒部４２００の外周側とを連結する一対の外側連結部４４００をニッパなどの工具で切断（破壊）する。外側連結部４４００を切断すると、第１筒部４１００が結合部材４０００から切り離され、第２筒部４２００及び第３筒部４３００とにより主に構成される結合部材４０００が周方向に回転可能となるので、操作回転子４６００を利用して、結合部材４０００を９０度回転させることで、第３係止爪４３０３を切り欠き４４０５に対応する位置に移動させる。
【０２７９】
これにより、図４５に示すように、結合部材４０００から切り離された第１筒部４１００が第１凹部４２６１に取り残された状態で、結合部材４０００を取付側結合部４３０６から引き抜くことができる。結合部材４０００が引き抜かれると、基板ボックス４２２１と取付ベース４２２２との封印が解除され、基板ボックス４２２１がスライド移動して取付ベース４２２２から取り外し可能になる。このように、基板ボックス４２２１を取付ベース４２２２から取り外す場合には、外側連結部４４００が切断により破壊されるので、ホール関係者などは、基板ボックス４２２１が取り外されたことを容易に確認することができる。
【０２８０】
再封印に使用する結合部材４０００（即ち、第１筒部４１００が切り離された図４５に示す結合部材４０００）を取得した後は、基板ボックス４２２１を取付ベース４２２２に対してスライド移動して取り付け、第２凹部４２７１と取付側結合部４３０６とを互いに対向する位置に配設する。
【０２８１】
この状態で、第２凹部４２７１の内周面と結合部材４０００の第２筒部４２００の外周面との内の一方または両方に接着剤を塗布し、第２挿入突起４２０１が第２凹部４２７１の第１挿入溝４２７１ａに挿入される位置で、結合部材４０００を第２凹部４２７１へ押し込む。第３係止爪４３０３が取付側結合部４３０６の貫通孔４４０４を通過すると、第３係止爪４３０３が第３揺動部４３０２により係合部材４０００の径方向外側に揺動され、取付結合部４３０６の上壁４０６に係止されると共に、第２凹部４２７１に結合部材４０００が固着される（図４６の状態）。
【０２８２】
この場合、結合部材４０００は、第２挿入溝４２７１ａと第２挿入突起４２０３との係合により、周方向への回転が規制されるので、第３筒部４３００の第３係止爪４３０３が取付側結合部４３０６の切り欠き４４０５に対応する位置まで回転することが規制され、第２凹部４２７１及び取付側結合部４３０６の結合が解除されることを防止できる。
【０２８３】
なお、第２凹部４２７１と結合部材４０００の第２筒部４２００との固着は、上述した接着剤に加え、或いは、接着剤に代えて、超音波溶着を用いても良い。即ち、第２筒部４２００の上面に当接された超音波溶着機により、第２凹部４２７１の上側端面と第２嵌合溝４２０２の底面との合わせ面を溶着することで、第２凹部４２７１に結合部座４０００（第２筒部４２００）を固着しても良い。
【０２８４】
ここで、結合部材４０００により第２凹部4２７１及び取付側結合部4３０６が結合された状態から、基板ボックス４２２１及び取付ベース４２２２の封印を解除するためには、第２筒部４２００の内周側と第３筒部４３００の外周側とを連結する一対の内側連結部４５００をニッパなどの工具で切断（破壊）する。内側連結部４５００を切断すると、第２筒部４２００が結合部材４０００から切り離され、第３筒部４３００により主に構成される結合部材４０００が周方向に回転可能となるので、操作回転子４６００を利用して、結合部材４０００を９０度回転させることで、第３係止爪４３０３を切り欠き４４０５に対応する位置に移動させる。
【０２８５】
これにより、結合部材４０００から切り離された第２筒部４２００が第２凹部４２7１に取り残された状態で、結合部材４０００を取付側結合部４３０６から引き抜くことができる。結合部材４０００が引き抜かれると、基板ボックス４２２１と取付ベース４２２２との再封印が解除され、基板ボックス４２２１がスライド移動して取付ベース４２２２から取り外し可能になる。このように、基板ボックス４２２１を取付ベース４２２２から取り外す場合には、内側連結部４5００が切断により破壊されるので、ホール関係者などは、基板ボックス４２２１が取り外されたことを容易に確認することができる。
【０２８６】
次いで、図４７を参照して、再封印の解除に伴い回収された結合部材４０００を使用して、基板ボックス４２２１を封印する方法について説明する。図４７は、基板ユニット４２２０の部分断面図であり、基板ボックス４２２１が結合部材４０００（第３筒部４３００）により封印された状態が図示されている。なお、図４７は、図３９のＸＸＸＸ−ＸＸＸＸ線における断面図に対応する。また、図４７では、図面を簡素化して、理解を容易とするために、一部の構成にのみ符号を付して説明する。
【０２８７】
基板ボックス４２２１（ボックスベース４２１１及びボックス蓋４２１２）を封印する場合には、ベース側返送用封印部２３１と第３凹部４２８１とを、結合部材４０００により結合する。即ち、上述したように、基板ボックス４２２１と取付ベース４２２２との１回目の封印の解除に伴い、第１筒部４１００の除去された結合部材４０００が回収され、基板ボックス４２２１と取付ベース４２２２との２回目の封印（再封印）の解除に伴い、第１筒部４１００及び第２筒部４２００の除去された結合部材４０００（第３筒部４３００）が回収される。
【０２８８】
基板ボックス４２２１を組み立てると、第３凹部４２８１とベース側返送用封印部２３１とが対向する位置に配設されるので、第３凹部４２８１の内周面と結合部材４０００の第３筒部４３００の外周面との内の一方または両方に接着剤を塗布し、第３凹部４２８１の第３挿入溝４２８１ａに第３筒部４３００の第３挿入突起４３０１が、第３凹部４２８１の第３連結受入部４２８１ｂに第３筒部４３００の外周面に残存した内側連結部４５００が、それぞれ挿入される位置で（図３９及び図４２参照）、結合部材４０００（第３筒部４３００）を第３凹部４２８１に押し込む。これにより、第３筒部４３００の第３係止爪４３０３がベース側返送用封印部２３１の上壁に係止され、第３凹部４２８１とベース側返送用封印部２３１とが封印される。
【０２８９】
この場合、第３筒部４３００の第３係止爪４３０３は、その係止解除を不能とするために、箱状に形成された壁部に囲まれて密閉されている。よって、結合部材４０００は、主基板２１３（図５参照）の修理などの為に基板ボックス４２２１をメーカーに送り返す場合に、基板ボックス４２２１を開封不能に封印することができるので、基板ボックス４２２１のメーカーへの返送途中に基板ボックス４２２１がバラバラになり部品などが紛失することを抑制できる。
【０２９０】
また、結合部材４０００は、再利用可能に構成されているが、基板ユニット４２２０において１つしか備えられていない。そして、メーカーへの返送時にも使用されてメーカーに返却されるので、結合部材４０００が市場に流通することを抑制することもできる。よって、結合部材３２５９が市場に流通することで、例えば、２つの基板ボックスから１の基板ボックスを不正に製作する場合に結合部材４０００が使用されることを抑制することができる。
【０２９１】
また、各返送用封印部２３１，４２５４を介して結合部材４０００により封印された基板ボックス４２２１を開封する場合にも、第３連結部４２８２をニッパなどの工具で切断しなければならないので、メーカーへの返送途中に基板ボックス４２２１が開封された場合にも痕跡が残り、基板ボックス４２２１の開封を発見することができる。
【０２９２】
特に、結合部材４０００には、第３筒部４３００及び第３凹部４２８１が接着剤によって固着されているので、第３凹部４２８１の除去を困難として、結合部材４０００に痕跡が残らずに回収することを防止することができる。
【０２９３】
以上、実施の形態に基づき本発明を説明したが、本発明は上記各実施の形態に何ら限定されるものではなく、本発明の趣旨を逸脱しない範囲内で種々の変形改良が可能であることは容易に推察できるものである。
【０２９４】
例えば、上記各実施の形態で挙げた数値は一例であり、他の数値を採用することは当然可能である。
【０２９５】
上記各実施の形態では、結合部材２５９、３０００，４０００を、基板ボックス２２１，２２２１，３２２１，４２２１と、取付ベース２２２，２２２２，３２２２，４２２２との封印に使用する場合を説明したが、必ずしもこれに限られるものではなく、基板ボックス２２１，２２２１，３２２１，４２２１を構成するボックスベース２１１，２２１１，３２１１，４２１１とボックス蓋２１２，２２１２，３２１２，４２１２との封印に、結合部材２５９、３０００，４０００を使用しても良い。
【０２９６】
即ち、本発明における第１部材および第２部材は、基板ボックスを構成する複数の部品であっても良く、第１部材および第２部材のうちの一方が制御基板を収納する基板ボックスであって他方がその基板ボックスを取り付ける取付ベースや、基板ボックスを覆うカバー部材、基板ボックスを取り付ける遊技機本体としても良く、或いは、遊技機において結合する必要のある複数部品のいずれの部品であっても良い。
【０２９７】
上記各実施の形態では、結合部材２５９、３０００，４０００の一部が、基板ボックス２２１，２２２１，３２２１，４２２１の蓋側結合部２５５，２２５５，３２５５，４２５５に固着される場合を説明したが、必ずしもこれに限られるものではなく、これに代えて、或いは、これに加えて、取付ベース２２２，２２２２，３２２２，４２２２側に固着される構成であっても良い。
【０２９８】
また、基板ボックス２２１，２２２１，３２２１，４２２１を構成するボックスベース２１１，２２１１，３２１１，４２１１とボックス蓋２１２，２２１２，３２１２，４２１２との封印に結合部材２５９、３０００，４０００を使用する場合には、結合部材２５９、３０００，４０００を、ボックスベース２１１，２２１１，３２１１，４２１１とボックス蓋２１２，２２１２，３２１２，４２１２とのいずれか一方に固着しても良く、或いは、両方に固着しても良い。
【０２９９】
即ち、第１部材と第２部材の少なくとも一方が、結合部材（封印部材）に固着される固着部を備えれば良く、これら第１部材および第２部材の両方が固着部を備えていても良い。
【０３００】
上記各実施の形態では、結合部材２５９が、筒部材３３１と、その筒部材３３１に取り外し可能に内挿される内挿部材３３２とから構成される場合を説明したが、必ずしもこれに限られるものではなく、これら筒部座意３３１と内挿部材３３２とが一体に構成されていても良い。即ち、結合部材２５９を複数の部材で構成しても良く、１の部材で構成しても良い。
【０３０１】
一方、結合部材３０００，４０００が１の部材から構成される場合を説明したが、必ずしもこれに限られるものではなく、結合部材３０００，４０００を複数の部材から構成することは当然可能である。
【０３０２】
上記各実施の形態では、封印対象となる部材（基板ボックス２２１，２２２１，３２２１，４２２１）の一部が結合部材２５９，３０００，４０００に固着される場合を説明したが、必ずしもこれに限られるものではなく、封印対象ではない別部材を結合部材２５９，３０００，４０００（封印部材）に固着させるように構成しても良い。
【０３０３】
上記第１及び第２実施の形態では、結合部材２５９の筒側挿入突起３４３が第１凹部２６１の第１挿入溝２６１ａに、第１凹部２６１の第１挿入突起２６１ｂが第２凹部２７１の第２挿入溝２７１ａに、第２凹部２７１の第２挿入突起２７１ｂが第３凹部２８１の第３挿入溝２８１ａに、それぞれ挿入される、即ち、封印部材と固着部との合わせ面または固着部と固着部との合わせ面に、その合わせ面の一方の面に凸部が凸設されると共に他方の面に凸部を受け入れる凹部が凹設される場合を説明したが、かかる凸部および凹部の形成は１箇所のみに限られるものではなく、複数箇所に形成されていても良い。
【０３０４】
同様に、上記第３及び第４実施の形態では、結合部材３０００，４０００の第１から第３挿入突起３１０１〜３３０１，４１０３〜４３０３が、第１から第３凹部３２６１〜３２８１，４２６１〜４２８１の第１から第３挿入溝３２６１ａ〜３２８１ａ，４２６１ａ〜４２８１ａに挿入される、即ち、封印部材と固着部との合わせ面または固着部と固着部との合わせ面に、その合わせ面の一方の面に凸部が凸設されると共に他方の面に凸部を受け入れる凹部が凹設される場合を説明したが、かかる凸部および凹部の形成は２箇所に限られるものではなく、１箇所のみに形成されていても良く、複数箇所に形成されていても良い。
【０３０５】
なお、凸部の形状は、上面視矩形状に形成される場合を説明したが、必ずしもこれに限られるものではなく、他の形状とすることは当然可能であり、脆弱部を備える形状が好ましい。他の形状としては、例えば、突出先端へ向かうほど細幅となる上面視三角形状が例示される。この場合には、凹部は凸部に対応する形状とする。このように凸部を突出先端ほど細幅となる形状とすることで、封印部材（結合部材２５９，３０００，４０００）の回収のために固着部を削り取ろうとした場合に、凸部の突出先端の頂点（脆弱部）を破断し易くすることができる。その結果、封印部材の回収を困難とすることができる。
【０３０６】
上記各実施の形態では、基板ボックス２２１，２２２１，３２２１，４２２１と、取付ベース２２２，２２２２，３２２２，４２２２との封印の可能回数が、第１凹部２６１，２２６１，３２６１，４２６１と第２凹部２７１，２２７１，３２７１，４２７１とにより２回である場合を説明したが、必ずしもこれに限られるものではなく、封印可能回数を３回以上としても良く、或いは、封印可能回数を１回としても良い。
【０３０７】
上記各実施の形態では、結合部材２５９，３０００，４０００の外形が断面円形に形成されると共に、それに対応する円形に第１凹部２６１〜４２６１、第２凹部２７１〜４２７１及び第３凹部２８１〜４２８１が形成される場合を説明したが、必ずしもこれに限られるものではなく、断面矩形状などの他の形状であっても良い。
【０３０８】
上記各実施の形態では、第１凹部２６１〜４２６１、第２凹部２７１〜４２７１及び第３凹部２８１〜４２８１が全周にわたって結合部材２５９，３０００，４０００または第１凹部２６１〜４２６１、第２凹部２７１〜４２７１に固着される場合を説明したが、必ずしもこれに限られるものではなく、周方向の一部のみが固着されるものであっても良い。
【０３０９】
上記第１から第３実施の形態では、結合部材２５９，３０００，４０００、第１凹部２６１〜４２６１、第２凹部２７１〜４２７１又は第３凹部２８１〜４２８１の固着を接着剤を用いて行う場合を説明したが、必ずしもこれに限られるものではなく、他の手段を用いても良い。他の手段としては、超音波溶着による固着や硬化樹脂による固着が例示される。第４実施の形態においても、同様に、硬化樹脂による固着を用いても良い。なお、これら各固着手段は、１種類のみを適用しても良く、或いは、その一部または全部を組み合わせて適用しても良い。
【０３１０】
上記第３及び第４実施の形態では、第１凹部３２６１，４２６１及び第２凹部３２７１，４２７１が比較的剛性の弱い第１連結部３２６２，４２６２及び第２連結部３２７２，４２７２を介して側壁部２４５に連結され、第１連結部３２６２，４２６２及び第２連結部３２７２，４２７２を切断することで、第１凹部３２６１，４２６１及び第２凹部３２７１，４２７１が取り外し可能に構成されたが、必ずしもこれに限られるものではなく、第１連結部３２６２，４２６２及び第２連結部３２７２，４２７２を省略し、第１凹部３２６１，４２６１及び第２凹部３２７１，４２７１が側壁４２５に取り外し困難に連結されていても良い。
【０３１１】
上記各実施の形態では、いわゆるＡタイプのスロットマシンについて説明したが、Ｂタイプ、Ｃタイプ、ＡタイプとＣタイプの複合タイプ、ＢタイプとＣタイプの複合タイプ、さらにはＣＴゲームを備えたタイプなど、どのようなスロットマシンにこの発明を適用してもよく、何れの場合であっても上述した各実施の形態と同様の作用効果を奏することは明らかである。なお、これらの各タイプにおけるボーナス当選としては、ＢＢ当選、ＲＢ当選、ＳＢ当選、ＣＴ当選などが挙げられる。
【０３１２】
また、上記各実施の形態では、スロットマシン１０について具体化した例を示したが、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０３１３】
また、パチンコ機に本発明を適用することも可能である。パチンコ機の場合、外枠に遊技機本体が装着されるとともに、遊技機本体の前面側に扉部材が設けられる。遊技機本体には、遊技球飛翔領域としての遊技領域が形成されるとともに作動口や液晶表示装置などが設置された遊技盤が搭載され、扉部材に設けられた視認窓により、遊技領域や液晶表示装置が視認可能となっている。そして、遊技球発射装置により発射された遊技球が作動口に入賞することに伴い、内部抽選が行われると共に液晶表示装置上にて絵柄の可変表示が行われる。かかるパチンコ機に上記実施形態の主制御装置と表示制御装置の構成を適用した場合であっても、上記実施形態と同様の作用効果を奏することは明らかである。
【０３１４】
更に、パチンコ機以外にも、アレパチ、雀球、スロットマシン、いわゆるパチンコ機とスロットマシンとが融合した遊技機などの各種遊技機として実施するようにしても良い。
【０３１５】
パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０３１６】
以下に、本発明の遊技機に加えて、上記各実施の形態に含まれる各種発明の概念を示す。
【０３１７】
第１封印部を有する第１部材と、第２封印部を有する第２部材と、前記第１封印部および第２封印部を連結して前記第１部材および第２部材を封印する封印部材とを備え、前記封印部材を使用して前記第１部材および第２部材を再封印可能に構成された遊技機において、前記封印部材は、前記第１封印部および第２封印部を連結して前記第１部材および第２部材を封印する前の形状と、前記第１部材および第２部材の封印を解除した後の形状とが異なることを特徴とする遊技機Ａ１。
【０３１８】
遊技機Ａ１によれば、封印部材により第１封印部および第２封印部が連結され第１部材および第２部材が封印されると共に、その封印の解除により取り外された封印部材を使用して、第１部材および第２部材が再封印される。このように、封印部材を使い回す場合には、封印部材を取り外し易い構成とする必要がある。しかし、封印部材を取り外し易い構成にすると、その封印部材が他の遊技機（第１部材および第２部材）の封印に使用され易くなり、封印構造を偽装する不正行為を招く。これに対し、本発明によれば、第１部材および第２部材の封印を解除した後の封印部材の形状を、封印する前の形状と異ならせることができる。よって、取り外した封印部材を他の遊技機の封印に使用した場合には、その封印部材が既に封印に使用されたものであるか否かを判別することができるので、封印構造を偽装する不正行為を抑制することができるという効果がある。
【０３１９】
遊技機Ａ１において、前記第１封印部または第２封印部の少なくとも一方は、前記第１部材および第２部材の封印状態において前記封印部材に固着される固着部を備え、
前記第１部材および第２部材の封印が解除されると、前記固着部が固着された状態で、前記封印部材が前記第１部材および第２部材から取り外されることを特徴とする遊技機Ａ２。
【０３２０】
遊技機Ａ２によれば、遊技機Ａ１の奏する効果に加え、第１封印部または第２封印部の少なくとも一方が、第１部材および第２部材の封印状態において封印部材に固着される固着部を備え、第１部材および第２部材の封印が解除されると、固着部が固着された状態で、封印部材が第１部材および第２部材から取り外されるので、第１部材および第２部材の封印を解除した後の封印部材の形状を、封印する前の形状と異ならせることができる。この場合、固着部は封印部材に固着されているので、封印部材の形状を封印前の形状に戻すことを困難にすることができるという効果がある。
【０３２１】
遊技機Ａ２において、前記第１封印部および第２封印部から構成される封印部が複数形成され、
前記固着部は、少なくとも前記封印部と同数以上が形成されていることを特徴とする遊技機Ａ３。
【０３２２】
遊技機Ａ３によれば、遊技機Ａ２の奏する効果に加え、第１封印部および第２封印部から構成される封印部が複数形成され、固着部は、封印部と同数以上が形成されているので、封印前後で封印部材の形状を異ならせることを、複数回の封印の解除において行うことができる。即ち、封印回数に対応して形状を変化させることができるので、その形状から封印に使用された回数を認識することができる。
【０３２３】
遊技機Ａ２又はＡ３において、前記固着部は、前記封印部材が挿通される穴として複数形成されると共に、それら複数の穴がそれぞれ異なる大きさの穴として形成されていることを特徴とする遊技機Ａ４。
【０３２４】
遊技機Ａ４によれば、遊技機Ａ２又はＡ３の奏する効果に加え、封印部材が挿通される穴として固着部が形成されているので、構造を簡素化しつつ、封印部材に固着部を確実に固着させることができるという効果がある。更に、固着部はそれぞれが異なる大きさの穴として形成されているので、封印部材の形状が封印前後で異なる形状となる構成においては、封印の解除に伴い取り外された封印部材を、他の遊技機の同じ箇所における固着部には挿通させられなくすることができる。よって、封印構造を偽装する不正を抑制することができるという効果がある。
【０３２５】
遊技機Ａ２からＡ４のいずれかにおいて、前記第１封印部は、前記固着部を前記第１部材に連結する連結部を備え、前記固着部は、外周側に前記連結部が連結されると共に、前記第１部材および第２部材の封印状態において前記封印部材が内周側に内嵌されて固着される筒状体として形成され、前記連結部が切断されて前記第１部材および第２部材の封印が解除されると、前記固着部が固着された状態で、前記封印部材が前記第１部材および第２部材から取り外されることを特徴とする遊技機Ａ５。
【０３２６】
遊技機Ａ５によれば、遊技機Ａ２からＡ４のいずれかの奏する効果に加え、固着部を第１部材に連結する連結部を第１封印部が備え、固着部は、外周側に連結部が連結されると共に、第１部材および第２部材の封印状態において封印部材が内周側に内嵌されて固着される筒状体として形成され、連結部が切断されて第１部材および第２部材の封印が解除されると、固着部が固着された状態で、封印部材が第１部材および第２部材から取り外されるので、第１部材および第２部材の封印を解除した後の封印部材の形状を、封印する前の形状と異ならせることができる。この場合、固着部は封印部材に固着されているので、封印部材の形状を封印前の形状に戻すことを困難とすることができるという効果がある。
【０３２７】
なお、連結部としては、第１から第３連結部２６２〜２８２，３２６２〜３２８２，４２６２〜４２８２が該当する。
【０３２８】
遊技機Ａ５において、前記第１封印部および第２封印部から構成される封印部を複数備えると共に、それら複数の封印部のそれぞれに前記固着部が形成され、前記固着部が固着された封印部材を使用して第１部材および第２部材を再封印する場合には、その封印部材に固着された固着部の内の最外層側の固着部を所定の固着部の内周側に内嵌して固着することを特徴とする遊技機Ａ６。
【０３２９】
遊技機Ａ６によれば、遊技機Ａ５の奏する効果に加え、第１封印部および第２封印部から構成される封印部を複数備えると共に、それら複数の封印部のそれぞれに固着部が形成され、固着部が固着された封印部材を使用して第１部材および第２部材を再封印する場合には、その封印部材に固着された固着部の内の最外層側の固着部を所定の固着部（即ち、次に封印すべき箇所における固着部）の内周側に内嵌して固着するので、封印前後で封印部材の形状を異ならせることを、複数回の封印の解除において行うことができる。
【０３３０】
遊技機Ａ６において、前記封印部材は、前記第２封印部に係止される係止爪部と、前記固着部に係合される係合部とを備えると共に、前記固着部が固着された封印部材を使用して前記第１部材および第２部材を再封印する場合には、前記係止爪部が前記第２封印部に係止され、かつ、前記封印部材に固着された固着部が所定の固着部に係合されることを特徴とする遊技機Ａ７。
【０３３１】
遊技機Ａ７によれば、遊技機Ａ６の奏する効果に加え、封印部材は、第２封印部に係止される係止爪部と、固着部に係合される係合部とを備えると共に、固着部が固着された封印部材を使用して第１部材および第２部材を再封印する場合には、係止爪部が第２封印部に係止されるので、構造を簡素化することができるという効果がある。即ち、封印部材に形成された係止爪部を、複数回の封印において共通して使用することができ、かかる係止爪部を封印の回数分だけ設ける必要がないので、その分、構造を簡素化することができる。また、固着部が固着された封印部材を使用して第１部材および第２部材を再封印する場合には、封印部材に固着された固着部が所定の固着部（即ち、次に封印すべき箇所における固着部）に係合されるので、封印の解除に伴い固着された固着部を、次回の封印において所定の固着部に係合される部位として使用することができる。即ち、係合のための部位を封印の回数分だけ予め封印部材に設けておく必要がないので、その分、構造を簡素化することができる。
【０３３２】
なお、封印部材の係止爪部としては、係止爪３４９が該当し、係合部としては第１筒部３４１又は筒側挿入突起３４３が該当する。
【０３３３】
遊技機Ａ５又はＡ６において、前記固着部は、前記第２封印部に係止される所定爪部を備え、その所定爪部を備えた固着部が固着された封印部材を使用して前記第１部材および第２部材を再封印する場合には、前記所定爪部が前記第２封印部に係止され、かつ、前記封印部材に固着された固着部が所定の固着部に係合されることを特徴とする遊技機Ａ８。
【０３３４】
遊技機Ａ８によれば、遊技機Ａ５又はＡ６において、第２封印部に係止される所定爪部を固着部が備え、その所定爪部を備えた固着部が固着された封印部材を使用して第１部材および第２部材を再封印する場合には、所定爪部が第２封印部に係止されるので、設計の自由度を高めることができるという効果がある。即ち、係止爪部を複数回の封印において共通して使用する場合には、その係止爪部が係止される各箇所を同じ形状や同じ配置として形成する必要があるところ、固着部に所定爪部を形成して、各封印箇所において異なる所定爪部を使用することができれば、所定爪部が係止される各箇所の形状や配置を共通とする必要がなく、その分、設計の自由度を高めることができる。
【０３３５】
また、固着部が固着された封印部材を使用して第１部材および第２部材を再封印する場合には、封印部材に固着された固着部が所定の固着部（即ち、次に封印すべき箇所における固着部）に係合されるので、封印の解除に伴い固着された固着部を、次回の封印において、所定の固着部に係合される部位として使用することができ、かかる係合のための部位を封印の回数分だけ封印部材に設ける必要がないので、その分、構造を簡素化することができる。
【０３３６】
なお、固着部の所定爪部としては、第１及び第２係止爪２２６７，２２７７が該当する。
【０３３７】
遊技機Ａ５からＡ８のいずれかにおいて、前記封印部材は、第１ピンと、第２ピンとを備え、前記第１ピンは、前記第２封印部に係止される第１係止爪部と、前記固着部に係合される係合部と、前記係止爪部に連通され前記第２ピンが挿入される挿入孔とを備え、前記第２ピンは、前記係止爪部の変位を規制する変位規制部と、前記第１ピンに係止される第２係止爪とを備え、前記封印部材を使用して前記第１部材および第２部材を封印する場合には、前記第１ピンの係止爪部が前記第２封印部に係止されると共に前記係合部が前記固着部に係合され、かつ、前記第２ピンが第１ピンの挿入孔に挿入されることで、前記第２ピンの変位規制部により前記係止爪部の変位が規制されると共に前記第２係止爪が第１ピンに係止されることを特徴とする遊技機Ａ９。
【０３３８】
遊技機Ａ９によれば、遊技機Ａ５からＡ８の奏する効果に加え、第２封印部に係止される第１係止爪部と、固着部に係合される係合部と第１ピンが備え、第１ピンの係止爪部が第２封印部に係止されると共に係合部が固着部に係合されることで、第１部材および第２部材を封印することができる。この場合、係止爪部に連通され第２ピンが挿入される挿入孔を第１ピンが備えると共に、係止爪部の変位を規制する変位規制部と、第１ピンに係止される第２係止爪とを第２ピンが備えるので、第１ピンの挿入孔に第２ピンを挿入して、第１ピンの第１係止爪部の変位を第２ピンの変位規制部により規制することで、第１係止爪部の係止が不正に解除されることを困難とすることができ、その結果、第１部材および第２部材の封印を確実に行うことができるという効果がある。また、第２ピンの第２係止爪部が第１ピンに係止されるので、かかる係止により、第２ピンが第１ピン（挿入孔）から抜き取られることを困難として、第２ピンの変位規制部による第１係止爪部の変位規制効果を確実に発揮させることができるという効果がある。
【０３３９】
遊技機Ａ２からＡ９のいずれかにおいて、前記封印部材と前記固着部との合わせ面または前記固着部と固着部との合わせ面には、その合わせ面の一方の面に凸部が凸設されると共に他方の面に前記凸部を受け入れる凹部が凹設されていることを特徴とする遊技機Ａ１０。
【０３４０】
遊技機Ａ１０によれば、遊技機Ａ２からＡ９のいずれかの奏する効果に加え、封印部材と固着部との合わせ面または固着部と固着部との合わせ面には、その合わせ面の一方の面に凸部が凸設されると共に他方の面に凸部を受け入れる凹部が凹設されているので、これらの固着を接着剤により行う場合には、接着面積を拡大して、接着強度の向上を図ることができるという効果がある。また、これら凸部と凹部との嵌合により、封印部材と固着部（又は固着部と固着部）との相対的な位置関係を位置決めすることができるので、係止爪部または所定爪部による係止位置を所望の位置に確実に配置させることができるという効果がある。更に、このように、封印部材と固着部（又は固着部と固着部）とのあわせ面に凸部と凹部とが形成されていることで、例えば、封印部材の外周側に固着された固着部、或いは、固着部の外周側に固着された固着部を削り取り、封印部材を回収しようとした場合でも、凸部または凹部が削れてしまうので、かかる封印部材の回収を困難にすることができるという効果がある。
【０３４１】
なお、凸部としては、筒側挿入突起３４３、第１及び第２挿入突起２６１ｂ，２７１ｃまたは第１及び第２連結部２６２，２７２が該当し、凹部としては、第１から第３挿入溝２６１ａ〜２８１ａ、第２及び第３連結受入部２７１ｂ，２８１ｂが該当する。
【０３４２】
遊技機Ａ１０において、前記封印部材は先端側から前記固着部に装着されるものであり、前記凸部および凹部は、前記封印部材の後端面側に露出して形成されていることを特徴とする遊技機Ａ１１。
【０３４３】
遊技機Ａ１１によれば、遊技機Ａ１０の奏する効果に加え、封印部材は先端側から固着部に装着されるものであり、凸部および凹部は、封印部材の後端面側に露出して形成されているので、凸部または凹部の状態を確認する際の視認性を確保することができるという効果がある。
【０３４４】
第１封印部を有する第１部材と、第２封印部を有する第２部材と、それら第１封印部および第２封印部を連結して前記第１部材および第２部材を封印する封印部材とを備え、前記封印部材を使用して前記第１部材および第２部材を再封印可能に構成された遊技機において、前記第１部材および第２部材の封印の解除に伴って、前記封印部材からその封印部材の一部分が分離されることを特徴とする遊技機Ｂ１。
【０３４５】
遊技機Ｂ１によれば、封印部材により第１封印部および第２封印部が連結され第１部材および第２部材が封印されると共に、その封印の解除により取り外された封印部材を使用して、第１部材および第２部材が再封印される。
【０３４６】
このように、封印部材を使い回す場合には、封印部材を取り外し易い構成とする必要がある。しかし、封印部材を取り外し易い構成にすると、その封印部材が他の遊技機（第１部材および第２部材）の封印に使用され易くなり、封印構造を偽装する不正行為を招く。
【０３４７】
これに対し、本発明によれば、第１部材および第２部材の封印の解除に伴って、封印部材からその封印部材の一部分が分離されるので、封印を解除した後の封印部材の形状を、封印する前の形状と異ならせることができる。よって、取り外した封印部材を他の遊技機の封印に使用した場合には、その封印部材が既に封印に使用されたものであるか否かを判別することができるので、封印構造を偽装する不正行為を抑制することができるという効果がある。また、第１部材および第２部材の封印が解除されると、封印部材からその封印部材の一部が分離されるので、封印部材の形状を封印前の形状に戻すことを困難とすることができるという効果がある。
【０３４８】
遊技機Ｂ１において、前記第１封印部または第２封印部の少なくとも一方は、前記第１部材および第２部材の封印状態において前記封印部材が固着される固着部を備え、その固着部に固着された部分が、前記第１部材および第２部材の封印の解除に伴って前記封印部材から分離される前記一部分とされていることを特徴とする遊技機Ｂ２。
【０３４９】
遊技機Ｂ２によれば、遊技機Ｂ１の奏する効果に加え、第１封印部または第２封印部の少なくとも一方は、第１部材および第２部材の封印状態において封印部材が固着される固着部を備え、その固着部に固着された部分が、第１部材および第２部材の封印の解除に伴って封印部材から分離される一部分とされているので、封印部材の形状を封印前の形状に戻すことを困難とすることができるという効果がある。即ち、封印の解除に伴って封印部材から分離された一部分を封印部材に合体させることで、封印部材を封印前の状態に戻すことは可能であるところ、封印の解除に伴って封印部材から分離された一部分は固着部に固着されているので、かかる一部分を回収すること自体を困難とすることができる。その結果、封印部材の形状を封印前の形状に戻すことを困難とすることができる。
【０３５０】
また、封印部材を取り外して、第１部材および第２部材の封印を解除した場合には、その封印の解除に伴って封印部材の一部分が分離し、かかる分離した一部分が、第１封印部または第２封印部の少なくとも一方の固着部に固着された状態で残るので、封印部材が取り外された後において、固着部に残った部分（分離した一部分）の切断面などを確認することができるという効果がある。その結果、例えば、取り外した封印部材との整合性などを確認することができる。
【０３５１】
遊技機Ｂ２において、前記第１封印部および第２封印部から構成される封印部が複数形成され、前記固着部は、少なくとも前記封印部と同数以上が形成されていることを特徴とする遊技機Ｂ３。
【０３５２】
遊技機Ｂ３によれば、遊技機Ｂ２の奏する効果に加え、第１封印部および第２封印部から構成される封印部が複数形成され、固着部は、封印部と同数以上が形成されているので、封印前後で封印部材の形状を異ならせることを、複数回の封印の解除において行うことができる。即ち、封印回数に対応して形状を変化させることができるので、その形状から封印に使用された回数を認識することができる。また、複数回の封印の解除において、固着部に残った部分（分離した一部分）の切断面などを確認することができる。
【０３５３】
遊技機Ｂ２又はＢ３において、前記固着部は、前記封印部材が挿通される穴として所定数が形成されると共に、それら所定数の穴がそれぞれ異なる大きさの穴として形成されていることを特徴とする遊技機Ｂ４。
【０３５４】
遊技機Ｂ４によれば、遊技機Ｂ２又はＢ３の奏する効果に加え、封印部材が挿通される穴として固着部が形成されているので、構造を簡素化しつつ、封印部材に固着部を確実に固着させることができるという効果がある。更に、固着部はそれぞれが異なる大きさの穴として形成されているので、封印部材の形状が封印前後で異なる形状となる構成においては、封印の解除に伴い取り外された封印部材を、他の遊技機の同じ箇所における固着部には挿通させられなくすることができる。よって、封印構造を偽装する不正を抑制することができるという効果がある。
【０３５５】
遊技機Ｂ２からＢ４のいずれかにおいて、前記第１部材が前記固着部を備え、前記封印部材は、前記固着部に固着される被固着部と、その被固着部の内層側に位置する内層部と、それら内層部および被固着部を連結する連結部とを備え、前記連結部が切断されて前記第１部材および第２部材の封印が解除されると、前記被固着部が前記内層部から分離された状態で、少なくとも前記内層部を有する封印部材が前記第１部材および第２部材から取り外されることを特徴とする遊技機Ｂ５。
【０３５６】
遊技機Ｂ５によれば、遊技機Ｂ２からＢ４のいずれかの奏する効果に加え、第１部材および第２部材の封印の解除に伴って、封印部材から被固着部が分離されるので、封印を解除した後の封印部材の形状を、封印する前の形状と異ならせることができる。よって、取り外した封印部材を他の遊技機の封印に使用した場合には、その封印部材が既に封印に使用されたものであるか否かを判別することができるので、封印構造を偽装する不正行為を抑制することができるという効果がある。また、第１部材および第２部材の封印が解除されると、封印部材から被固着部が分離されるので、封印部材の形状を封印前の形状に戻すことを困難とすることができるという効果がある。
【０３５７】
また、封印部材から分離される被固着部は、固着部に固着されているので、封印部材の形状を封印前の形状に戻すことを困難とすることができるという効果がある。即ち、封印の解除に伴って封印部材から分離された被固着部を封印部材に合体させることで、封印部材を封印前の状態に戻すことは可能であるところ、封印の解除に伴って封印部材から分離された被固着部は固着部に固着されているので、かかる被固着部を回収すること自体を困難とすることができる。その結果、封印部材の形状を封印前の形状に戻すことを困難とすることができる。
【０３５８】
また、封印部材を取り外して、第１部材および第２部材の封印を解除した場合には、その封印の解除に伴って被固着部が封印部材から分離し、かかる被固着部が、第１封印部の固着部に固着された状態で残るので、封印部材が取り外された後において、固着部に残った被固着部における連結部の切断面を確認することができるという効果がある。その結果、例えば、取り外した封印部材における連結部の切断面との整合性などを確認することができる。
【０３５９】
なお、内層部および被固着部を連結する連結部としては、外側連結部３４００，４４００および内側連結部３５００，４５００が該当する。
【０３６０】
遊技機Ｂ５において、前記第１封印部および第２封印部から構成される封印部を複数備えると共に、それら複数の封印部のそれぞれに前記固着部が形成され、前記被固着部が分離された封印部材を使用して第１部材および第２部材を再封印する場合には、その封印部材の内層部を所定の固着部に固着することを特徴とする遊技機Ｂ６。
【０３６１】
遊技機Ｂ６によれば、遊技機Ｂ５の奏する効果に加え、第１封印部および第２封印部から構成される封印部を複数備えると共に、それら複数の封印部のそれぞれに固着部が形成され、非固着部が分離された封印部材を使用して第１部材および第２部材を再封印する場合には、封印部材の内層部を所定の固着部（即ち、次に封印すべき箇所における固着部）に固着するので、封印前後で封印部材の形状を異ならせることを、複数回の封印の解除において行うことができる。
【０３６２】
遊技機Ｂ６において、前記封印部材は、１又は複数の前記被固着部と、その被固着部同士の間または前記被固着部および内層部の間を連結する連結部とを備えると共に、前記内層部は前記第２封印部に係止される係止爪部を備え、前記被固着部が分離された封印部材を使用して前記第１部材および第２部材を再封印する場合には、前記内層部の係止爪部が前記第２封印部に係止されることを特徴とする遊技機Ｂ７。
【０３６３】
遊技機Ｂ７によれば、遊技機Ｂ６の奏する効果に加え、１又は複数の前記被固着部と、その被固着部同士の間または前記被固着部および内層部の間を連結する連結部とを備えると共に、前記内層部は前記第２封印部に係止される係止爪部を備え、前記被固着部が分離された封印部材を使用して前記第１部材および第２部材を再封印する場合には、前記内層部の係止爪部が前記第２封印部に係止されるので、構造を簡素化することができるという効果がある。即ち、内層部に形成された係止爪部を、複数回の封印において共通して使用することができ、かかる係止爪部を封印の回数分だけ設ける必要がないので、その分、構造を簡素化することができる。
【０３６４】
なお、第２封印部に係止される内層部の係止爪部としては、第３係止爪４３０３が該当する。
【０３６５】
遊技機Ｂ６において、前記封印部材は、１又は複数の前記被固着部と、その被固着部同士の間または前記被固着部および内層部の間を連結する連結部とを備えると共に、前記１又は複数の被固着部および内層部は前記第２封印部に係止される所定爪部および係止爪部をそれぞれ備え、前記第１部材および第２部材を封印または再封印する場合には、最外層側の前記所定爪部が前記第２封印部に係止されることを特徴とする遊技機Ｂ８。
【０３６６】
遊技機Ｂ８によれば、遊技機Ｂ６において、１又は複数の前記被固着部と、その被固着部同士の間または被固着部および内層部の間を連結する連結部とを封印部材が備えると共に、１又は複数の被固着部および内層部は第２封印部に係止される所定爪部および係止爪部をそれぞれ備え、第１部材および第２部材を封印または再封印する場合には、最外層側の所定爪部が第２封印部に係止されるので、設計の自由度を高めることができるという効果がある。即ち、止爪部を複数回の封印において共通して使用する場合には、その係止爪部が係止される各箇所を同じ形状や同じ配置として形成する必要があるところ、被固着部に所定爪部を形成して、各封印箇所において異なる所定爪部を使用することができれば、所定爪部が係止される各箇所の形状や配置を共通とする必要がなく、その分、設計の自由度を高めることができる。
【０３６７】
なお、第２封印部に係止される被固着部および内層部の所定爪部および係止爪部としては、第１から第３係止爪３１０３〜３３０３が該当する。
【０３６８】
遊技機Ｂ２からＢ８のいずれかにおいて、前記封印部材と前記固着部との合わせ面には、その合わせ面の一方の面に凸部が凸設されると共に他方の面に前記凸部を受け入れる凹部が凹設されていることを特徴とする遊技機Ｂ９。
【０３６９】
遊技機Ｂ９によれば、遊技機Ｂ２からＢ８のいずれかの奏する効果に加え、封印部材と固着部との合わせ面には、その合わせ面の一方の面に凸部が凸設されると共に他方の面に凸部を受け入れる凹部が凹設されているので、これらの固着を接着剤により行う場合には、接着面積を拡大して、接着強度の向上を図ることができるという効果がある。また、これら凸部と凹部との嵌合により、封印部材と固着部との相対的な位置関係を位置決めすることができるので、係止爪部または所定爪部による係止位置を所望の位置に確実に配置させることができるという効果がある。更に、このように、封印部材と固着部とのあわせ面に凸部と凹部とが形成されていることで、例えば、封印の解除に伴って封印部材から分離された一部分（被固着部）に固着された固着部を削り取り、分離された一部分（被固着部）を回収しようとした場合でも、凸部または凹部が削れてしまうので、かかる分離された一部分の回収を困難にすることができるという効果がある。
【０３７０】
なお、凸部としては、第１から第３挿入突起３１０１〜３３０１，４１０３，４２０３、外側連結部３４００，４４００または内側連結部３５００，４５００が該当し、凹部としては、第１から第３挿入溝３２６１ａ〜３２８１ａ、第２及び第３連結受入部３２７１ｂ，３２８１ｂが該当する。
【０３７１】
遊技機Ｂ９において、前記封印部材は先端側から前記固着部に装着されるものであり、前記凸部および凹部は、前記封印部材の後端面側に露出して形成されていることを特徴とする遊技機Ｂ１０。
【０３７２】
遊技機Ｂ１０によれば、遊技機Ｂ９の奏する効果に加え、封印部材は先端側から固着部に装着されるものであり、凸部および凹部は、封印部材の後端面側に露出して形成されているので、凸部または凹部の状態を確認する際の視認性を確保することができるという効果がある。
【符号の説明】
【０３７３】
１０                                    スロットマシン（遊技機）
３２２１，４２２１                      基板ボックス（第１部材）
３２１１，４２１１                      ボックスベース（第２部材）
３２１２，４２１２                      ボックス蓋（第１部材）
３２２２，４２２２                      取付ベース（第２部材）
３２５４，４２５４                      蓋側返送用封印部（第１封印部）
３２５５，４２５５                      蓋側結合部（第２封印部）
２５９                                  結合部材（封印部材）
３２６１，４２６１                      第１凹部（固着部）
３２７１，４２７１                      第２凹部（固着部）
３２８１，４２８１                      第３凹部（固着部）
３０００，４０００                      結合部材（封印部材）
３１００，４１００ 第１筒部（被固着部）
３２００，４２００ 第２筒部（被固着部、内層部）
３３００，４３００ 第３筒部（内層部）
３４００，４４００ 外側連結部（連結部）
３５００，４５００ 内側連結部（連結部）
【図１】
0005493720.tif 000002
【図２】
0005493720.tif 000003
【図３】
0005493720.tif 000004
【図４】
0005493720.tif 000005
【図５】
0005493720.tif 000006
【図６】
0005493720.tif 000007
【図７】
0005493720.tif 000008
【図８】
0005493720.tif 000009
【図９】
0005493720.tif 000010
【図１０】
0005493720.tif 000011
【図１１】
0005493720.tif 000012
【図１２】
0005493720.tif 000013
【図１３】
0005493720.tif 000014
【図１４】
0005493720.tif 000015
【図１５】
0005493720.tif 000016
【図１６】
0005493720.tif 000017
【図１７】
0005493720.tif 000018
【図１８】
0005493720.tif 000019
【図１９】
0005493720.tif 000020
【図２０】
0005493720.tif 000021
【図２１】
0005493720.tif 000022
【図２２】
0005493720.tif 000023
【図２３】
0005493720.tif 000024
【図２４】
0005493720.tif 000025
【図２５】
0005493720.tif 000026
【図２６】
0005493720.tif 000027
【図２７】
0005493720.tif 000028
【図２８】
0005493720.tif 000029
【図２９】
0005493720.tif 000030
【図３０】
0005493720.tif 000031
【図３１】
0005493720.tif 000032
【図３２】
0005493720.tif 000033
【図３３】
0005493720.tif 000034
【図３４】
0005493720.tif 000035
【図３５】
0005493720.tif 000036
【図３６】
0005493720.tif 000037
【図３７】
0005493720.tif 000038
【図３８】
0005493720.tif 000039
【図３９】
0005493720.tif 000040
【図４０】
0005493720.tif 000041
【図４１】
0005493720.tif 000042
【図４２】
0005493720.tif 000043
【図４３】
0005493720.tif 000044
【図４４】
0005493720.tif 000045
【図４５】
0005493720.tif 000046
【図４６】
0005493720.tif 000047
【図４７】
0005493720.tif 000048